【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
液体試料を分析するためのデバイスであって、
第１のプレートと、第２のプレートと、スペーサと、を備え、
ｉ．前記プレートが、異なる構成へと互いに相対的に移動可能であり、
ｉｉ．一方または両方のプレートが可撓性であり、
ｉｉｉ．前記第１のプレートが、その内表面に、異なる位置に第１および第２の試料接触領域を有し、前記第１のプレートが、それぞれ前記第１および第２の試料接触領域に第１および第２の厚さを有し、前記試料接触領域が、標的分析物を含む疑いのある試料に接触するためのものであり、前記第１の厚さが、前記第２の厚さとは異なり、
ｉｖ．前記スペーサが、前記第１のプレートの内表面に固定され、各試料接触領域で所定の実質的に均一な高さを有し、
ｖ．前記スペーサの各々が、上端部を有し、前記スペーサの前記上端部が、一表面において実質的に整列しており、
前記構成のうちの１つが開放構成であり、前記開放構成において、前記２つのプレートが部分的または完全に分離され、前記プレート間の間隔が、前記スペーサによって調節されず、前記試料が、前記プレートの一方または両方に付着し、
前記構成の別の構成は、前記開放構成において前記試料が付着した後に構成される閉鎖構成であり、前記閉鎖構成において、前記付着した試料の少なくとも一部が、前記２つのプレートによって限定される層に前記２つのプレートによって圧縮され、前記層は、前記試料接触領域の各々にわたってそれぞれ実質的に均一な厚さを有し、前記層の前記均一な厚さが、前記それぞれの試料接触領域によって限定され、かつ前記それぞれの試料接触領域で前記プレートおよび前記スペーサによって調節される、前記デバイス。
【請求項２】
試料を分析するためにＱＭＡＸデバイスを使用する方法であって、
（ａ）標的分析物を含む疑いのある試料を取得するステップと、
（ｂ）第１、第２のプレート、およびスペーサを取得するステップであって、
ｉ．前記プレートが、開放構成および閉鎖構成を含む異なる構成へと互いに相対的に移動可能であり、
ｉｉ．前記プレートの一方または両方が可撓性であり、
ｉｉｉ．前記第１のプレートが、その内表面に、異なる位置に第１および第２の試料接触領域を有し、前記第２のプレートが、その内表面に、それぞれ前記第１のプレートの第１および第２の試料接触領域に対応する異なる位置に第１および第２の試料接触領域を有し、前記試料接触領域が、前記試料と接触するためのものであり、
ｉｖ．前記スペーサが、前記プレートの一方または両方の前記それぞれの内表面に固定され、各試料接触領域で所定の実質的に均一な高さを有し、
ｖ．前記第１の試料接触領域の前記スペーサの高さが、前記第２の試料接触領域のスペーサの高さと異なる、前記取得するステップと、
（ｃ）前記プレートが前記開放構成にあるとき、前記プレートの一方または両方に前記試料を付着させるステップであって、
前記開放構成は、
前記２つのプレートが部分的または完全に分離され、前記２つのプレート間の間隔が、前記スペーサによって調節されず、前記試料が、前記プレートの一方または両方に付着する構成
である、前記付着させるステップと、
（ｄ）（ｃ）の後、前記２つのプレートを合わせ、前記プレートを前記閉鎖構成へと押圧するステップであって、
前記押圧することが、
並行または順次のいずれかで、前記プレートのうちの少なくとも１つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成は、前記開放構成において前記試料が付着した後に構成され、前記閉鎖構成において、前記それぞれの対応する試料接触領域が、互いに重なっており、前記付着した試料の少なくとも一部が、前記２つのプレートによって限定される層に前記２つのプレートによって圧縮され、前記層は、前記試料接触領域の各々にわたってそれぞれ実質的に均一な厚さを有し、前記層の前記均一な厚さが、前記プレートの前記それぞれの試料接触領域によって限定され、かつ前記それぞれの試料接触領域で前記プレートおよび前記スペーサによって調節される、前記押圧するステップと、
（ｅ）前記プレートが前記閉鎖構成にあるとき、前記均一な厚さの層中の前記標的分析物を分析するステップと、を含む、前記方法。
【請求項３】
並列多重化アッセイを実現するために、前記ＱＭＡＸデバイスを使用する方法であって、前記分析ステップ（ｅ）が、
（１）適切な時間の長さで前記試料をインキュベートし、次いで、前記インキュベーションを停止すること、または
（２）前記試料を適切な時間の長さの最小値以上の時間インキュベートし、次いで、前記適切な時間の長さの最大値以下の期間内に、結合部位への各標的分析物の前記結合を評価し、
それによって（１）の前記インキュベーションの終了時もしくは（２）の前記評価中に、各結合部位と結合した捕捉剤−標的分析物−検出剤サンドイッチ中の前記標的分析物の大部分が、対応する適切な体積の前記試料に由来するものである反応物を生成することであって、
前記インキュベーションにより、各標的分析物が結合部位および検出剤と結合することができ、前記対応する適切な体積が、前記閉鎖構成で対応する貯蔵部位の上にある前記試料の部分である、前記生成すること、を含む、前記方法。
【請求項４】
前記スペーサの前記均一な高さが、０．５〜１００μｍの範囲内である、請求項１に記載のデバイス。
【請求項５】
前記スペーサの前記均一な高さが、０．５〜２０μｍの範囲内である、請求項１〜４のいずれか一項に記載のデバイス。
【請求項６】
液体試料を分析するための方法であって、
（ａ）標的分析物を含む疑いのある試料を取得するステップと、
（ｂ）第１のプレート、第２のプレート、およびスペーサを取得するステップであって、
ｉ．前記プレートが、異なる構成へと互いに相対的に移動可能であり、
ｉｉ．一方または両方のプレートが可撓性であり、
ｉｉｉ．前記第１のプレートが、その内表面に、異なる位置に第１および第２の試料接触領域を有し、前記第１のプレートが、それぞれ前記第１および第２の試料接触領域に第１および第２の厚さを有し、前記試料接触領域が、標的分析物を含む疑いのある試料に接触するためのものであり、前記第１の厚さが、前記第２の厚さとは異なり、
ｉｖ．前記スペーサが、前記第１のプレートの内表面に固定され、各試料接触領域で所定の実質的に均一な高さを有し、
ｖ．前記スペーサの各々が、上端部を有し、前記スペーサの前記上端部が、一表面において実質的に整列している、前記取得するステップと、
（ｃ）前記プレートが前記開放構成にあるとき、前記プレートの一方または両方に前記試料を付着させるステップであって、
前記開放構成は、
前記２つのプレートが部分的または完全に分離され、前記２つのプレート間の間隔が、前記スペーサによって調節されず、前記試料が、前記プレートの一方または両方に付着する構成
である、前記付着させるステップと、
（ｄ）（ｃ）の後、前記２つのプレートを合わせ、前記プレートを前記閉鎖構成へと押圧するステップであって、
前記押圧することが、
並行または順次のいずれかで、前記プレートのうちの少なくとも１つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成は、前記開放構成において前記試料が付着した後に構成され、前記閉鎖構成において、前記付着した試料の少なくとも一部が、前記２つのプレートによって限定される層に前記２つのプレートによって圧縮され、前記層は、前記試料接触領域の各々にわたってそれぞれ実質的に均一な厚さを有し、前記層の前記均一な厚さが、前記プレートの前記それぞれの試料接触領域によって限定され、かつ前記それぞれの試料接触領域で前記プレートおよび前記スペーサによって調節される、前記押圧するステップと、
（ｅ）前記プレートが前記閉鎖構成にあるとき、前記均一な厚さの層中の前記標的分析物を分析するステップと、を含む、前記方法。
【請求項７】
前記スペーサの前記均一な高さが、０．５〜１００μｍの範囲内である、請求項６に記載の方法。
【請求項８】
液体試料の並列多重化アッセイのための方法であって、
（ａ）標的分析物を含む疑いのある試料を取得するステップと、
（ｂ）第１のプレート、第２のプレート、およびスペーサを取得するステップであって、
ｉ．前記プレートが、開放構成および閉鎖構成を含む異なる構成へと互いに相対的に移動可能であり、
ｉｉ．前記プレートの一方または両方が可撓性であり、
ｉｉｉ．前記第１のプレートが、その内表面に、異なる位置に第１および第２の試料接触領域を有し、前記第１のプレートが、それぞれ前記第１および第２の試料接触領域に第１および第２の厚さを有し、前記試料接触領域が、標的分析物を含む疑いのある試料に接触するためのものであり、前記第１の厚さが、前記第２の厚さとは異なり、
ｉｖ．前記第１のプレートが、前記試料接触領域のうちの少なくとも１つに、
所定の横方向の面積を有し、かつ前記標的分析物を結合および固定化することができる捕捉剤を含む結合部位
を有し、
ｖ．前記第２のプレートが、前記試料接触領域のうちの少なくとも１つに、
所定の横方向の面積を有し、かつ前記試料に接触すると溶解して前記試料中に拡散する検出剤を含む貯蔵部位
を有し、
ｖｉ．前記スペーサが、前記プレートの一方または両方の前記それぞれの内表面に固定され、各試料接触領域で所定の実質的に均一な高さを有し、
ｖｉｉ．前記スペーサの各々が、上端部を有し、前記スペーサの前記上端部が、一表面において実質的に整列しており、
各捕捉剤、標的分析物、および対応する検出剤が、前記第１のプレートの結合部位において捕捉剤−標的分析物−検出剤サンドイッチを形成することができる、前記取得するステップと、
（ｃ）前記プレートが前記開放構成にあるとき、前記プレートの一方または両方に前記試料を付着させるステップであって、
前記開放構成は、
前記２つのプレートが部分的または完全に分離され、前記プレート間の間隔が、前記スペーサによって調節されず、前記試料が、前記プレートの一方または両方に付着する構成
である、前記付着させるステップと、
（ｄ）（ｃ）の後、前記２つのプレートを合わせ、前記プレートを前記閉鎖構成へと押圧するステップであって、
前記押圧することが、
並行または順次のいずれかで、前記プレートのうちの少なくとも１つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成は、前記開放構成において前記試料が付着した後に構成され、前記閉鎖構成において、前記２つのプレート上の前記対応する試料接触領域が、それぞれ互いに重なっており、前記付着した試料の少なくとも一部が、前記２つのプレートによって限定される層に前記２つのプレートによって圧縮され、前記層は、前記試料接触領域の各々にわたってそれぞれ実質的に均一な厚さを有し、前記層の前記均一な厚さが、前記プレートの前記それぞれの試料接触領域によって制限され、前記それぞれの試料接触領域で前記プレートおよび前記スペーサによって調節される、前記押圧するステップと、
（ｅ）（ｄ）の後および前記プレートが前記閉鎖構成にある間に、
（１）適切な時間の長さで前記試料をインキュベートし、次いで、前記インキュベーションを停止するステップ、または
（２）前記試料を適切な時間の長さの最小値以上の時間インキュベートし、次いで、前記適切な時間の長さの最大値以下の期間内に、結合部位への各標的分析物の前記結合を評価し、
それによって（１）の前記インキュベーションの終了時もしくは（２）の前記評価中に、各結合部位と結合した捕捉剤−標的分析物−検出剤サンドイッチ中の標的分析物の大部分が対応する適切な体積の前記試料に由来するものである反応物を生成するステップであって、
前記インキュベーションにより、各標的分析物が結合部位および検出剤と結合することができ、前記対応する適切な体積が、前記閉鎖構成で対応する貯蔵部位の上にある前記試料の部分である、前記生成するステップ、を含み、
前記適切な時間は、
（ｉ）前記標的分析物が前記閉鎖構成における前記均一な厚さの層の前記厚さを横切って拡散するのにかかる時間とほぼ等しいかまたはそれより長く、かつ
（ｉｉ）前記標的分析物が前記結合部位の前記所定の面積の直線寸法を横切って横方向に拡散するのにかかる時間よりも短い、前記方法。
【請求項９】
ステップ（ｅ）が、
ｉ．フォトルミネセンス、エレクトロルミネセンス、および電気化学ルミネセンスから選択されるルミネセンス、
ｉｉ．光吸収、反射、透過、回折、散乱、または拡散、
ｉｉｉ．表面ラマン散乱、
ｉｖ．抵抗、静電容量、およびインダクタンスから選択される電気インピーダンス、
ｖ．磁気緩和能、ならびに
ｖｉ．ｉ〜ｖの任意の組み合わせ
からなる群から選択される標的分析物関連信号を測定することを含み、
前記標的分析物関連信号が、前記結合部位に対する前記標的分析物の結合に比例しかつそれを反映する信号である、請求項８に記載の方法。
【請求項１０】
前記分析ステップ（ｅ）が、
適切な試料接触領域から測定された前記標的分析物関連信号から最適な信号を決定することを含み、前記適切な試料接触領域が、同じ標的分析物を検出するための前記結合部位および／または貯蔵部位を含む前記試料接触領域である、請求項９に記載の方法。
【請求項１１】
前記最適な標的分析物関連信号が、最小および最大検出閾値の間の範囲内の前記測定された標的分析物関連信号を選択することによって決定され、前記プレートの前記最小および最大検出閾値、ならびに検出器が前記信号測定に使用される、請求項１０に記載の方法。
【請求項１２】
前記最適な標的分析物関連信号が、前記アッセイの線形検出範囲内の前記測定された標的分析物関連信号を選択することによって決定され、前記線形検出範囲が、標的分析物関連信号の強度の範囲であり、その中で前記信号強度が、前記アッセイされた標的分析物の量と直線的な相関を有する、請求項１０に記載の方法。
【請求項１３】
（ａ）標的分析物を含む疑いのある試料を取得するステップと、
（ｂ）第１のプレート、第２のプレート、およびスペーサを取得するステップであって、
ｉ．前記プレートが、開放構成および閉鎖構成を含む異なる構成へと互いに相対的に移動可能であり、
ｉｉ．前記プレートの一方または両方が可撓性であり、
ｉｉｉ．前記第１のプレートが、その内表面に、異なる位置に第１および第２の試料接触領域を有し、前記第２のプレートが、その内表面に、それぞれ前記第１のプレートの第１および第２の試料接触領域に対応する異なる位置に第１および第２の試料接触領域を有し、前記試料接触領域が、前記試料と接触するためのものであり、
ｉｖ．前記スペーサが、前記プレートの一方または両方の前記それぞれの内表面に固定され、各試料接触領域で所定の実質的に均一な高さを有し、
ｖ．前記第１の試料接触領域の前記スペーサの高さが、前記第２の試料接触領域のスペーサの高さと異なる、前記取得するステップと、
（ｃ）前記プレートが前記開放構成にあるとき、前記プレートの一方または両方に前記試料を付着させるステップであって、
前記開放構成は、
前記２つのプレートが部分的または完全に分離され、前記２つのプレート間の間隔が、前記スペーサによって調節されず、前記試料が、前記プレートの一方または両方に付着する構成
である、前記付着させるステップと、
（ｄ）（ｃ）の後、前記２つのプレートを合わせ、前記プレートを前記閉鎖構成へと押圧するステップであって、
前記押圧することが、
並行または順次のいずれかで、前記プレートのうちの少なくとも１つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成において、前記それぞれの対応する試料接触領域が、互いに重なっており、前記付着した試料の少なくとも一部が、前記２つのプレートによって限定される層に前記２つのプレートによって圧縮され、前記層は、前記試料接触領域の各々にわたってそれぞれ実質的に均一な厚さを有し、前記層の前記均一な厚さが、前記プレートの前記それぞれの試料接触領域によって制限され、前記それぞれの試料接触領域で前記プレートおよび前記スペーサによって調節される、前記押圧するステップと、
（ｅ）前記均一な厚さの層内の前記標的分析物の有無、量、および／または濃度を、（１）それぞれ前記第１および前記第２の試料接触領域上の前記層内の標的分析物関連信号を測定すること、（２）前記第１の試料接触領域で測定された前記信号と前記第２の試料接触領域で測定された前記信号との比率を決定することによって分析するステップであって、前記標的分析物関連信号が、前記試料中の前記標的分析物の量に比例しかつそれを反映する信号である、前記分析するステップと、を含む、方法。
【請求項１４】
液体試料を分析するためのデバイスであって、
第１のプレートと、第２のプレートと、スペーサと、を備え、
ｉ．前記プレートが、異なる構成へと互いに相対的に移動可能であり、
ｉｉ．一方または両方のプレートが可撓性であり、
ｉｉｉ．前記第１のプレートが、その内表面に、異なる位置に第１および第２の試料接触領域を有し、前記第２のプレートが、その内表面に、それぞれ前記第１のプレートの前記第１および前記第２の試料接触領域に対応する異なる位置に第１および第２の試料接触領域を有し、前記試料接触領域が、標的分析物を含む疑いのある試料と接触するためのものであり、
ｉｖ．前記スペーサが、前記プレートの一方または両方の前記それぞれの内表面に固定され、各試料接触領域で所定の実質的に均一な高さを有し、
ｖ．前記第１の試料接触領域の前記スペーサの高さが、前記第２の試料接触領域のスペーサの高さと異なり、
前記構成のうちの１つが開放構成であり、前記開放構成において、前記２つのプレートが部分的または完全に分離され、前記プレート間の間隔が、前記スペーサによって調節されず、前記試料が、前記プレートの一方または両方に付着し、
前記構成の別の構成は、前記開放構成において前記試料が付着した後に構成される閉鎖構成であり、前記閉鎖構成において、前記それぞれの対応する試料接触領域が、互いに重なっており、前記付着した試料の少なくとも一部が、前記２つのプレートによって限定される層に前記２つのプレートによって圧縮され、前記層は、前記試料接触領域の各々にわたってそれぞれ実質的に均一な厚さを有し、前記層の前記均一な厚さが、前記それぞれの試料接触領域によって限定され、かつ前記それぞれの試料接触領域で前記プレートおよび前記スペーサによって調節される、デバイス。
【請求項１５】
液体試料の並列多重化アッセイのためのデバイスであって、
第１のプレートと、第２のプレートと、スペーサと、を備え、
ｉ．前記プレートが、異なる構成へと互いに相対的に移動可能であり、
ｉｉ．前記プレートの一方または両方が可撓性であり、
ｉｉｉ．前記第１のプレートが、その内表面に、異なる位置に第１および第２の試料接触領域を有し、前記第２のプレートが、その内表面に、それぞれ前記第１のプレートの前記第１および前記第２の試料接触領域に対応する異なる位置に第１および第２の試料接触領域を有し、前記試料接触領域が、標的分析物を含む疑いのある試料と接触するためのものであり、
ｉｖ．前記第１のプレートが、前記試料接触領域のうちの少なくとも１つに、
所定の横方向の面積を有し、かつ前記標的分析物を結合および固定化することができる捕捉剤を含む結合部位
を有し、
ｖ．第１および第２の試料接触領域の前記第２のプレートが、前記試料接触領域のうちの少なくとも１つに、
所定の横方向の面積を有し、かつ前記試料に接触すると溶解して前記試料中に拡散する検出剤を含む貯蔵部位
を有し、
ｖｉ．前記スペーサが、前記プレートの１つ以上の前記それぞれの内表面に固定され、各試料接触領域で所定の実質的に均一な高さを有し、
ｖｉｉ．前記第１の試料接触領域の前記スペーサの高さが、前記第２の試料接触領域のスペーサの高さと異なり、
前記構成のうちの１つが開放構成であり、前記開放構成において、前記２つのプレートが部分的または完全に分離され、前記プレート間の間隔が、前記スペーサによって調節されず、前記試料が、前記プレートの一方または両方に付着し、
前記構成の別の構成は、前記開放構成において前記試料が付着した後に構成される閉鎖構成であり、前記閉鎖構成において、前記２つのプレート上の前記それぞれの対応する試料接触領域が、互いに重なっており、前記付着した試料の少なくとも一部が、前記２つのプレートによって限定される層に前記２つのプレートによって圧縮され、前記層は、前記試料接触領域の各々にわたってそれぞれ実質的に均一な厚さを有し、前記層の前記均一な厚さが、前記それぞれの試料接触領域によって限定され、かつ前記それぞれの試料接触領域で前記プレートおよび前記スペーサによって調節され、
各捕捉剤、標的分析物、および対応する検出剤が、前記第１のプレートの前記結合部位において捕捉剤−標的分析物−検出剤サンドイッチを形成することができ、
隣接する試料接触領域間に流体の隔たりが存在せず、
隣接する試料接触領域の端部の間の最小間隔は、標的分析物または検出剤が、
（１）前記標的分析物が前記閉鎖構成における前記均一な厚さの層の前記厚さを横切って拡散するのにかかる時間とほぼ等しいかまたはそれより長く、かつ
（２）前記標的分析物が前記結合部位の前記所定の面積の直線寸法を横切って横方向に拡散するのにかかる時間よりも短い期間で拡散することができる距離よりも実質的に大きい、前記デバイス。
【請求項１６】
液体試料を分析するための方法であって、
（ａ）標的分析物を含む疑いのある試料を取得するステップと、
（ｂ）第１のプレート、第２のプレート、およびスペーサを取得するステップであって、
ｉ．前記プレートが、開放構成および閉鎖構成を含む異なる構成へと互いに相対的に移動可能であり、
ｉｉ．前記プレートの一方または両方が可撓性であり、
ｉｉｉ．前記第１のプレートが、その内表面に、異なる位置に第１および第２の試料接触領域を有し、前記第２のプレートが、その内表面に、それぞれ前記第１のプレートの前記第１および前記第２の試料接触領域に対応する異なる位置に第１および第２の試料接触領域を有し、前記試料接触領域が、前記試料と接触するためのものであり、
ｉｖ．前記スペーサが、前記プレートの一方または両方の前記それぞれの内表面に固定され、各試料接触領域で所定の実質的に均一な高さを有し、
ｖ．前記第１の試料接触領域の前記スペーサの高さが、前記第２の試料接触領域のスペーサの高さと異なる、前記取得するステップと、
（ｃ）前記プレートが前記開放構成にあるとき、前記プレートの一方または両方に前記試料を付着させるステップであって、
前記開放構成は、
前記２つのプレートが部分的または完全に分離され、前記２つのプレート間の間隔が、前記スペーサによって調節されず、前記試料が、前記プレートの一方または両方に付着する構成
である、前記付着させるステップと、
（ｄ）（ｃ）の後、前記２つのプレートを合わせ、前記プレートを前記閉鎖構成へと押圧するステップであって、
前記押圧することが、
並行または順次のいずれかで、前記プレートのうちの少なくとも１つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成は、前記開放構成において前記試料が付着した後に構成され、前記閉鎖構成において、前記それぞれの対応する試料接触領域が、互いに重なっており、前記付着した試料の少なくとも一部が、前記２つのプレートによって限定される層に前記２つのプレートによって圧縮され、前記層は、前記試料接触領域の各々にわたってそれぞれ実質的に均一な厚さを有し、前記層の前記均一な厚さが、前記プレートの前記それぞれの試料接触領域によって限定され、かつ前記それぞれの試料接触領域で前記プレートおよび前記スペーサによって調節される、前記押圧するステップと、
（ｅ）前記プレートが前記閉鎖構成にあるとき、前記均一な厚さの層中の前記標的分析物を分析するステップと、を含む、前記方法。
【請求項１７】
液体試料を分析するための方法であって、
（ａ）標的分析物を含む疑いのある試料を取得するステップと、
（ｂ）第１のプレート、第２のプレート、およびスペーサを取得するステップであって、
ｉ．前記プレートが、開放構成および閉鎖構成を含む異なる構成へと互いに相対的に移動可能であり、
ｉｉ．前記プレートの一方または両方が可撓性であり、
ｉｉｉ．前記第１のプレートが、その内表面に、異なる位置に第１および第２の試料接触領域を有し、前記第２のプレートが、その内表面に、それぞれ前記第１のプレートの前記第１および前記第２の試料接触領域に対応する異なる位置に第１および第２の試料接触領域を有し、前記試料接触領域が、前記試料と接触するためのものであり、
ｉｖ．前記スペーサが、前記プレートの一方または両方の前記それぞれの内表面に固定され、各試料接触領域で所定の実質的に均一な高さを有し、
ｖ．前記第１の試料接触領域の前記スペーサの高さが、前記第２の試料接触領域のスペーサの高さと異なる、前記取得するステップと、
（ｃ）前記プレートが前記開放構成にあるとき、前記プレートの一方または両方に前記試料を付着させるステップであって、
前記開放構成は、
前記２つのプレートが部分的または完全に分離され、前記２つのプレート間の間隔が、前記スペーサによって調節されず、前記試料が、前記プレートの一方または両方に付着する構成
である、前記付着させるステップと、
（ｄ）（ｃ）の後、前記２つのプレートを合わせ、前記プレートを前記閉鎖構成へと押圧するステップであって、
前記押圧することが、
並行または順次のいずれかで、前記プレートのうちの少なくとも１つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成において、前記それぞれの対応する試料接触領域が、互いに重なっており、前記付着した試料の少なくとも一部が、前記２つのプレートによって限定される層に前記２つのプレートによって圧縮され、前記層は、前記試料接触領域の各々にわたってそれぞれ実質的に均一な厚さを有し、前記層の前記均一な厚さが、前記プレートの前記それぞれの試料接触領域によって限定され、かつ前記それぞれの試料接触領域で前記プレートおよび前記スペーサによって調節される、前記押圧するステップと、
（ｅ）前記均一な厚さの層内の前記標的分析物の有無、量、および／または濃度を、（１）それぞれ前記第１および前記第２の試料接触領域上の前記層内の標的分析物関連信号を測定すること、（２）前記第１の試料接触領域で測定された前記信号と前記第２の試料接触領域で測定された前記信号との比率を決定することによって分析するステップであって、前記標的分析物関連信号が、前記試料中の前記標的分析物の量に比例しかつそれを反映する信号である、前記分析するステップと、を含む、前記方法。
【請求項１８】
液体試料の並列多重化アッセイのための方法であって、
（ａ）標的分析物を含む疑いのある試料を取得するステップと、
（ｂ）第１のプレート、第２のプレート、およびスペーサを取得するステップであって、
ｉ．前記プレートが、開放構成および閉鎖構成を含む異なる構成へと互いに相対的に移動可能であり、
ｉｉ．前記プレートの一方または両方が可撓性であり、
ｉｉｉ．前記第１のプレートが、その内表面に、異なる位置に第１および第２の試料接触領域を有し、前記第２のプレートが、その内表面に、それぞれ前記第１のプレートの前記第１および前記第２の試料接触領域に対応する異なる位置に第１および第２の試料接触領域を有し、前記試料接触領域が、前記試料と接触するためのものであり、
ｉｖ．前記第１のプレートが、前記試料接触領域のうちの少なくとも１つに、
所定の横方向の面積を有し、かつ前記標的分析物を結合および固定化することができる捕捉剤を含む結合部位
を有し、
ｖ．第１および第２の試料接触領域の前記第２のプレートが、前記試料接触領域のうちの少なくとも１つに、
所定の横方向の面積を有し、かつ前記試料に接触すると溶解して前記試料中に拡散する検出剤を含む貯蔵部位
を有し、
ｖｉ．前記スペーサが、前記プレートの一方または両方の前記それぞれの内表面に固定され、各試料接触領域で所定の実質的に均一な高さを有し、
各捕捉剤、標的分析物、および対応する検出剤が、前記第１のプレートの結合部位において捕捉剤−標的分析物−検出剤サンドイッチを形成することができる、前記取得するステップと、
（ｃ）前記プレートが前記開放構成にあるとき、前記プレートの一方または両方に前記試料を付着させるステップであって、
前記開放構成は、
前記２つのプレートが部分的または完全に分離され、前記プレート間の間隔が、前記スペーサによって調節されず、前記試料が、前記プレートの一方または両方に付着する構成
である、前記付着させるステップと、
（ｄ）（ｃ）の後、前記２つのプレートを合わせ、前記プレートを前記閉鎖構成へと押圧するステップであって、
前記押圧することが、
並行または順次のいずれかで、前記プレートのうちの少なくとも１つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成は、前記開放構成において前記試料が付着した後に構成され、前記閉鎖構成において、前記２つのプレート上の前記対応する試料接触領域が、それぞれ互いに重なっており、前記付着した試料の少なくとも一部が、前記２つのプレートによって限定される層に前記２つのプレートによって圧縮され、前記層は、前記試料接触領域の各々にわたってそれぞれ実質的に均一な厚さを有し、前記層の前記均一な厚さが、前記プレートの前記それぞれの試料接触領域によって限定され、かつ前記それぞれの試料接触領域で前記プレートおよび前記スペーサによって調節される、前記押圧するステップと、
（ｅ）（ｄ）の後および前記プレートが前記閉鎖構成にある間に、
（１）適切な時間の長さで前記試料をインキュベートし、次いで、前記インキュベーションを停止するステップ、または
（２）前記試料を適切な時間の長さの最小値以上の時間インキュベートし、次いで、前記適切な時間の長さの最大値以下の期間内に、結合部位への各標的分析物の前記結合を評価し、
それによって（１）の前記インキュベーションの終了時もしくは（２）の前記評価中に、各結合部位と結合した捕捉剤−標的分析物−検出剤サンドイッチ中の前記標的分析物の大部分が、対応する適切な体積の試料に由来するものである反応物を生成するステップであって、
前記インキュベーションにより、各標的分析物が結合部位および検出剤と結合することができ、前記対応する適切な体積が、前記閉鎖構成で対応する貯蔵部位の上にある前記試料の部分である、前記生成するステップ、を含み、
前記適切な時間は、
（ｉ）前記標的分析物が前記閉鎖構成における前記均一な厚さの層の前記厚さを横切って拡散するのにかかる時間とほぼ等しいかまたはそれより長く、かつ
（ｉｉ）前記標的分析物が前記結合部位の前記所定の面積の直線寸法を横切って横方向に拡散するのにかかる時間よりも短い、前記方法。
【請求項１９】
前記スペーサの前記均一な高さが、０．５〜１００μｍの範囲内である、請求項１４に記載のデバイス。
【請求項２０】
前記スペーサの前記均一な高さが、０．５〜１００μｍの範囲内である、請求項１６または請求項１７に記載の方法。
【請求項２１】
ステップ（ｅ）が、
ｉ．フォトルミネセンス、エレクトロルミネセンス、および電気化学ルミネセンスから選択されるルミネセンス、
ｉｉ．光吸収、反射、透過、回折、散乱、または拡散、
ｉｉｉ．表面ラマン散乱、
ｉｖ．抵抗、静電容量、およびインダクタンスから選択される電気インピーダンス、
ｖ．磁気緩和能、ならびに
ｖｉ．ｉ〜ｖの任意の組み合わせ
からなる群から選択される標的分析物関連信号を測定することを含み、
前記標的分析物関連信号が、前記結合部位に対する前記標的分析物の結合に比例しかつそれを反映する信号である、請求項１８に記載の方法。
【請求項２２】
前記分析ステップ（ｅ）が、
適切な試料接触領域から測定された前記標的分析物関連信号から最適な信号を決定することを含み、前記適切な試料接触領域が、同じ標的分析物を検出するための前記結合部位および／または貯蔵部位を含む前記試料接触領域である、請求項２１に記載の方法。
【請求項２３】
前記最適な標的分析物関連信号が、最小および最大検出閾値の間の範囲内の前記測定された標的分析物関連信号を選択することによって決定され、前記プレートの前記最小および最大検出閾値、ならびに検出器が前記信号測定に使用される、請求項２２に記載の方法。
【請求項２４】
前記最適な標的分析物関連信号が、前記アッセイの線形検出範囲内の前記測定された標的分析物関連信号を選択することによって決定され、前記線形検出範囲が、標的分析物関連信号の強度の範囲であり、その中で前記信号強度が、前記アッセイされた標的分析物の量と直線的な相関を有する、請求項２２に記載の方法。
【請求項２５】
液体試料中の構成成分を溶解するためのデバイスであって、
第１のプレートと、第２のプレートと、を備え、
ｉ．前記２つのプレートが、開放構成および閉鎖構成を含む異なる構成へと互いに相対的に移動可能であり、
ｉｉ．前記プレートの各々が、そのそれぞれの試料表面に対して、試料と接触するための試料接触領域を有し、前記試料が、少なくとも標的溶解成分を含み、
ｉｉｉ．前記プレートのうちの一方または両方が、前記それぞれの試料接触領域に固定された柱を備え、
ｉｖ．前記柱が、前記標的溶解成分の２００％未満である、柱上面の横方向寸法の少なくとも１つを有し、
前記開放構成において、前記２つのプレートが部分的または完全に分離され、前記プレート間の間隔が、前記柱によって調節されず、前記試料が、前記プレートのうちの一方または両方の上に付着し、
前記閉鎖構成は、前記開放構成において前記試料が付着した後に構成され、前記閉鎖構成において、前記試料の適切な体積が、前記２つのプレートによって非常に均一な厚さの層に圧縮され、前記層の前記均一な厚さが、前記プレートの前記試料接触領域によって限定されかつ前記プレートおよび前記柱によって調節され、
前記プレートが前記開放構成から前記閉鎖構成に移行するプロセス中に、前記適切な体積の前記試料の前記標的溶解成分のかなりの割合が前記柱によって溶解され、
前記試料の前記適切な体積は、前記試料の部分的または全体的な体積である、前記デバイス。
【請求項２６】
液体試料中の構成成分を機械的に溶解する方法であって、
（ａ）第１のプレートおよび第２のプレートを有するステップであって、
ｉ．前記２つのプレートが、開放構成および閉鎖構成を含む異なる構成へと互いに相対的に移動可能であり、
ｉｉ．前記プレートの各々が、そのそれぞれの試料表面に対して、試料と接触するための試料接触領域を有し、前記試料が、少なくとも標的溶解成分を含み、
ｉｉｉ．前記プレートのうちの一方または両方が、前記それぞれの試料接触領域に固定された柱を備え、
ｉｖ．前記柱が、前記標的溶解成分の２００％未満である、柱上面の横方向寸法の少なくとも１つを有する、前記有するステップと、
（ｂ）前記プレートが前記開放構成にあるとき、前記プレートの一方または両方に前記試料を付着させるステップであって、前記開放構成において、前記２つのプレートが部分的または完全に分離され、前記プレート間の間隔が、前記柱によって調節されていない、前記付着させるステップと、
（ｃ）前記２つのプレートを合わせ、前記閉鎖構成にするために前記２つのプレートを力で互いに対して圧縮するステップであって、その間に、前記試料の適切な体積の前記試料の前記標的溶解成分のかなりの割合が、前記柱によって溶解され、
前記閉鎖構成において、前記試料の前記適切な体積は、前記２つのプレートによって非常に均一な厚さの層に圧縮され、前記層の前記均一な厚さが、前記プレートの前記試料接触領域によって限定されかつ前記プレートおよび前記柱によって調節され、
前記試料の前記適切な体積は、前記試料の部分的または全体的な体積である、前記圧縮するステップと、を含む、前記方法。
【請求項２７】
液体試料中のある標的率の構成成分を選択的に溶解するためのデバイスであって、
第１のプレートと、第２のプレートと、を備え、
ｉ．前記２つのプレートが、開放構成および閉鎖構成を含む異なる構成へと互いに相対的に移動可能であり、
ｉｉ．前記プレートの各々が、そのそれぞれの試料表面に対して、試料と接触するための試料接触領域を有し、前記試料が、少なくとも標的溶解成分を含み、
ｉｉｉ．前記プレートのうちの一方または両方が、前記それぞれの試料接触領域に固定された柱を備え、
前記開放構成において、前記２つのプレートが部分的または完全に分離され、前記プレート間の間隔が、前記柱によって調節されず、前記試料が、前記プレートのうちの一方または両方の上に付着し、
前記閉鎖構成は、前記開放構成において前記試料が付着した後に構成され、前記閉鎖構成において、前記試料の適切な体積が、前記２つのプレートによって非常に均一な厚さの層に圧縮され、前記層の前記均一な厚さが、前記プレートの前記試料接触領域によって限定されかつ前記プレートおよび前記柱によって調節され、
前記柱の少なくとも１つのパラメータは、前記プレートが前記開放構成から前記閉鎖構成に移行するプロセス中に、前記適切な体積の前記試料のある標的率の前記標的溶解成分が前記柱によって溶解されるように選択され、
前記試料の前記適切な体積は、前記試料の部分的または全体的な体積である、前記デバイス。
【請求項２８】
液体試料中のある標的率の成分を選択的に溶解する方法であって、
（ａ）第１のプレートおよび第２のプレートを有するステップであって、
ｉ．前記２つのプレートが、開放構成および閉鎖構成を含む異なる構成へと互いに相対的に移動可能であり、
ｉｉ．前記プレートの各々が、そのそれぞれの試料表面に対して、試料と接触するための試料接触領域を有し、前記試料が、少なくとも標的溶解成分を含み、
ｉｉｉ．前記プレートのうちの一方または両方が、前記それぞれの試料接触領域に固定された柱を備える、前記有するステップと、
（ｂ）前記プレートが前記開放構成にあるとき、前記プレートの一方または両方に前記試料を付着させるステップであって、前記開放構成において、前記２つのプレートが部分的または完全に分離され、前記プレート間の間隔が、前記柱によって調節されていない、前記付着させるステップと、
（ｃ）前記２つのプレートを合わせ、前記閉鎖構成にするために前記２つのプレートを力で互いに対して圧縮するステップであって、
前記閉鎖構成において、前記試料の適切な体積は、前記２つのプレートによって非常に均一な厚さの層に圧縮され、前記層の前記均一な厚さが、前記プレートの前記試料接触領域によって限定されかつ前記プレートおよび前記柱によって調節され、
前記柱の少なくとも１つのパラメータは、前記プレートが前記開放構成から前記閉鎖構成に移行するプロセス中に、前記適切な体積の前記試料のある標的率の前記標的溶解成分が前記柱によって溶解されるように選択され、
前記試料の前記適切な体積は、前記試料の部分的または全体的な体積である、前記圧縮するステップと、を含む、前記方法。
【請求項２９】
液体試料中の構成成分を選択的に溶解するためのデバイスであって、
第１のプレートおよび第２のプレートを備え、
ｉ．前記２つのプレートが、開放構成および閉鎖構成を含む異なる構成へと互いに相対的に移動可能であり、
ｉｉ．前記プレートの各々が、そのそれぞれの試料表面に対して、試料と接触するための試料接触領域を有し、前記試料が、少なくとも標的溶解成分および少なくとも非標的溶解成分を含み、
ｉｉｉ．前記プレートのうちの一方または両方が、前記それぞれの試料接触領域に固定された柱を備え、
前記開放構成において、前記２つのプレートが部分的または完全に分離され、前記プレート間の間隔が、前記柱によって調節されず、前記試料が、前記プレートのうちの一方または両方の上に付着し、
前記閉鎖構成は、前記開放構成において前記試料が付着した後に構成され、前記閉鎖構成において、前記試料の適切な体積が、前記２つのプレートによって非常に均一な厚さの層に圧縮され、前記層の前記均一な厚さが、前記プレートの前記試料接触領域によって限定されかつ前記プレートおよび前記柱によって調節され、
前記柱の少なくとも１つのパラメータは、前記プレートが前記開放構成から前記閉鎖構成に移行するプロセス中に、前記適切な体積の前記試料の前記標的溶解成分のかなりの割合が前記柱によって溶解されかつ前記適切な体積の前記非標的溶解成分のかなりの割合が溶解されないように選択され、
前記試料の前記適切な体積は、前記試料の部分的または全体的な体積である、前記デバイス。
【請求項３０】
液体試料中の構成成分を選択的に溶解する方法であって、
（ａ）第１のプレートおよび第２のプレートを有するステップであって、
ｉ．前記２つのプレートが、開放構成および閉鎖構成を含む異なる構成へと互いに相対的に移動可能であり、
ｉｉ．前記プレートの各々が、そのそれぞれの試料表面に対して、試料と接触するための試料接触領域を有し、前記試料が、少なくとも標的溶解成分および少なくとも非標的溶解成分を含み、
ｉｉｉ．前記プレートのうちの一方または両方が、前記それぞれの試料接触領域に固定された柱を備える、前記有するステップと、
（ｂ）前記プレートが前記開放構成にあるとき、前記プレートの一方または両方に前記試料を付着させるステップであって、前記開放構成において、前記２つのプレートが部分的または完全に分離され、前記プレート間の間隔が、前記柱によって調節されていない、前記付着させるステップと、
（ｃ）前記２つのプレートを合わせ、前記閉鎖構成にするために前記２つのプレートを力で互いに対して圧縮するステップであって、
前記閉鎖構成において、前記試料の適切な体積が、前記２つのプレートによって非常に均一な厚さの層に圧縮され、前記層の前記均一な厚さが、前記プレートの前記試料接触領域によって限定されかつ前記プレートおよび前記柱によって調節され、
前記柱の少なくとも１つのパラメータは、前記プレートが前記開放構成から前記閉鎖構成に移行するプロセス中に、前記適切な体積の前記試料の前記標的溶解成分のかなりの割合が前記柱によって溶解されかつ前記適切な体積の前記非標的溶解成分のかなりの割合が溶解されないように選択され、
前記試料の前記適切な体積は、前記試料の部分的または全体的な体積である、前記圧縮するステップと、を含む、前記方法。
【請求項３１】
液体試料中の構成成分を選択的に溶解するためのデバイスであって、
第１のプレートおよび第２のプレートを備え、
ｉ．前記２つのプレートが、開放構成および閉鎖構成を含む異なる構成へと互いに相対的に移動可能であり、
ｉｉ．前記第１のプレートが、そのそれぞれの試料表面に対して、ある位置での第１の試料接触領域および別の位置での第２の試料接触領域を有し、前記試料接触領域が、試料と接触するためのものであり、前記試料が、少なくとも標的溶解成分を含み、
ｉｉｉ．前記プレートのうちの一方または両方が、前記それぞれの試料接触領域に固定された柱を備え、
前記開放構成において、前記２つのプレートが部分的または完全に分離され、前記プレート間の間隔が、前記柱によって調節されず、前記試料が、前記プレートのうちの一方または両方の上に付着し、
前記閉鎖構成は、前記開放構成において前記試料が付着した後に構成され、前記閉鎖構成において、前記試料の適切な体積が、前記２つのプレートによって非常に均一な厚さの層に圧縮され、前記層の前記均一な厚さが、前記プレートの前記試料接触領域によって限定されかつ前記プレートおよび前記柱によって調節され、
前記柱の少なくとも１つのパラメータは、（ａ）前記柱が、前記第１の試料接触領域において、実質的に同じ前記少なくとも１つのパラメータと、前記第２の試料接触領域において、異なる実質的に同じ前記少なくとも１つのパラメータとを有し、（ｂ）前記プレートが前記開放構成から前記閉鎖構成に移行するプロセス中に、前記第１の試料接触領域で前記試料の前記標的溶解成分のかなりの割合が前記柱によって溶解されるが、前記標的溶解成分が前記第２の試料接触領域で溶解されないように選択され、
前記試料の前記適切な体積は、前記試料の部分的または全体的な体積である、前記デバイス。
【請求項３２】
液体試料中の構成成分を選択的に溶解する方法であって、
（ａ）第１のプレートおよび第２のプレートを有するステップであって、
ｉ．前記２つのプレートが、開放構成および閉鎖構成を含む異なる構成へと互いに相対的に移動可能であり、
ｉｉ．前記第１のプレートが、そのそれぞれの試料表面に対して、ある位置での第１の試料接触領域および別の位置での第２の試料接触領域を有し、前記試料接触領域が、試料と接触するためのものであり、前記試料が、少なくとも標的溶解成分を含み、
ｉｉｉ．前記プレートのうちの一方または両方が、前記それぞれの試料接触領域に固定された柱を備える、有するステップと、
（ｂ）前記プレートが前記開放構成にあるとき、前記プレートの一方または両方に前記試料を付着させるステップであって、前記開放構成において、前記２つのプレートが部分的または完全に分離され、前記プレート間の間隔が、前記柱によって調節されていない、前記付着させるステップと、
（ｃ）前記２つのプレートを合わせ、前記閉鎖構成にするために前記２つのプレートを力で互いに対して圧縮するステップであって、
前記閉鎖構成において、前記試料の適切な体積が、前記２つのプレートによって非常に均一な厚さの層に圧縮され、前記層の前記均一な厚さが、前記プレートの前記試料接触領域によって限定されかつ前記プレートおよび前記柱によって調節され、
前記柱の少なくとも１つのパラメータは、（ａ）前記柱が、前記第１の試料接触領域において、実質的に同じ前記少なくとも１つのパラメータと、前記第２の試料接触領域において、異なる実質的に同じ前記少なくとも１つのパラメータとを有し、（ｂ）前記プレートが前記開放構成から前記閉鎖構成に移行するプロセス中に、前記第１の試料接触領域で前記試料の前記標的溶解成分のかなりの割合が前記柱によって溶解されるが、前記標的溶解成分が前記第２の試料接触領域で溶解されないように選択され、
前記試料の前記適切な体積は、前記試料の部分的または全体的な体積である、前記圧縮するステップと、を含む、前記方法。
【手続補正２】
【補正対象書類名】明細書
【補正対象項目名】０００９
【補正方法】変更
【補正の内容】
【０００９】
さらに、本発明の別の態様は、（ｉ）異なる領域の細胞を選択的に溶解することと、（ｉｉ）異なる領域の試料中の異なる数の分析物と、（ｉｉｉ）フック効果を低減することと、その他と、を含むがこれらに限定されない、ある特定のアッセイ機能を実行するために、試料を間に挟んだプレートの異なる領域で異なる試料厚さを使用することである。
[本発明1001]
液体試料を分析するためのデバイスであって、
第1のプレートと、第2のプレートと、スペーサと、を備え、
ｉ．前記プレートが、異なる構成へと互いに相対的に移動可能であり、
ｉｉ．一方または両方のプレートが可撓性であり、
ｉｉｉ．前記第1のプレートが、その内表面に、異なる位置に第1および第2の試料接触領域を有し、前記第1のプレートが、それぞれ前記第1および第2の試料接触領域に第1および第2の厚さを有し、前記試料接触領域が、標的分析物を含む疑いのある試料に接触するためのものであり、前記第1の厚さが、前記第2の厚さとは異なり、
ｉｖ．前記スペーサが、前記第1のプレートの内表面に固定され、各試料接触領域で所定の実質的に均一な高さを有し、
ｖ．前記スペーサの各々が、上端部を有し、前記スペーサの前記上端部が、一表面において実質的に整列しており、
前記構成のうちの1つが開放構成であり、前記開放構成において、前記2つのプレートが部分的または完全に分離され、前記プレート間の間隔が、前記スペーサによって調節されず、前記試料が、前記プレートの一方または両方に付着し、
前記構成の別の構成は、前記開放構成において前記試料が付着した後に構成される閉鎖構成であり、前記閉鎖構成において、前記付着した試料の少なくとも一部が、前記2つのプレートによって限定される層に前記2つのプレートによって圧縮され、前記層は、前記試料接触領域の各々にわたってそれぞれ実質的に均一な厚さを有し、前記層の前記均一な厚さが、前記それぞれの試料接触領域によって限定され、かつ前記それぞれの試料接触領域で前記プレートおよび前記スペーサによって調節される、前記デバイス。
[本発明1002]
試料を分析するためにＱＭＡＸデバイスを使用する方法であって、
（ａ）標的分析物を含む疑いのある試料を取得するステップと、
（ｂ）第1、第2のプレート、およびスペーサを取得するステップであって、
ｉ．前記プレートが、開放構成および閉鎖構成を含む異なる構成へと互いに相対的に移動可能であり、
ｉｉ．前記プレートの一方または両方が可撓性であり、
ｉｉｉ．前記第1のプレートが、その内表面に、異なる位置に第1および第2の試料接触領域を有し、前記第2のプレートが、その内表面に、それぞれ前記第1のプレートの第1および第2の試料接触領域に対応する異なる位置に第1および第2の試料接触領域を有し、前記試料接触領域が、前記試料と接触するためのものであり、
ｉｖ．前記スペーサが、前記プレートの一方または両方の前記それぞれの内表面に固定され、各試料接触領域で所定の実質的に均一な高さを有し、
ｖ．前記第1の試料接触領域の前記スペーサの高さが、前記第2の試料接触領域のスペーサの高さと異なる、前記取得するステップと、
（ｃ）前記プレートが前記開放構成にあるとき、前記プレートの一方または両方に前記試料を付着させるステップであって、
前記開放構成は、
前記2つのプレートが部分的または完全に分離され、前記2つのプレート間の間隔が、前記スペーサによって調節されず、前記試料が、前記プレートの一方または両方に付着する構成
である、前記付着させるステップと、
（ｄ）（ｃ）の後、前記2つのプレートを合わせ、前記プレートを前記閉鎖構成へと押圧するステップであって、
前記押圧することが、
並行または順次のいずれかで、前記プレートのうちの少なくとも1つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成は、前記開放構成において前記試料が付着した後に構成され、前記閉鎖構成において、前記それぞれの対応する試料接触領域が、互いに重なっており、前記付着した試料の少なくとも一部が、前記2つのプレートによって限定される層に前記2つのプレートによって圧縮され、前記層は、前記試料接触領域の各々にわたってそれぞれ実質的に均一な厚さを有し、前記層の前記均一な厚さが、前記プレートの前記それぞれの試料接触領域によって限定され、かつ前記それぞれの試料接触領域で前記プレートおよび前記スペーサによって調節される、前記押圧するステップと、
（ｅ）前記プレートが前記閉鎖構成にあるとき、前記均一な厚さの層中の前記標的分析物を分析するステップと、を含む、前記方法。
[本発明1003]
並列多重化アッセイを実現するために、前記ＱＭＡＸデバイスを使用する方法であって、前記分析ステップ（ｅ）が、
（1）適切な時間の長さで前記試料をインキュベートし、次いで、前記インキュベーションを停止すること、または
（2）前記試料を適切な時間の長さの最小値以上の時間インキュベートし、次いで、前記適切な時間の長さの最大値以下の期間内に、結合部位への各標的分析物の前記結合を評価し、
それによって（1）の前記インキュベーションの終了時もしくは（2）の前記評価中に、各結合部位と結合した捕捉剤−標的分析物−検出剤サンドイッチ中の前記標的分析物の大部分が、対応する適切な体積の前記試料に由来するものである反応物を生成することであって、
前記インキュベーションにより、各標的分析物が結合部位および検出剤と結合することができ、前記対応する適切な体積が、前記閉鎖構成で対応する貯蔵部位の上にある前記試料の部分である、前記生成すること、を含む、前記方法。
[本発明1004]
前記スペーサの前記均一な高さが、0．5〜100μｍの範囲内である、本発明1001のデバイス。
[本発明1005]
前記スペーサの前記均一な高さが、0．5〜20μｍの範囲内である、先行する本発明のいずれかのデバイス。
[本発明1006]
前記第1および第2の試料接触領域の前記スペーサの前記均一な高さの差が、0．5〜100μｍの範囲内である、先行する本発明のいずれかのデバイス。
[本発明1007]
前記第1および第2の試料接触領域の前記スペーサの前記均一な高さの差が、0．5〜50ｕｍの範囲内である、先行する本発明のいずれかのデバイス。
[本発明1008]
前記スペーサが、各試料接触領域で所定の実質的に一定のスペーサ間距離を有する、先行する本発明のいずれかのデバイス。
[本発明1009]
前記スペーサの前記一定のスペーサ間距離が、7〜200μｍの範囲内である、本発明1008のデバイス。
[本発明1010]
前記スペーサの前記一定のスペーサ間距離が、50〜150μｍの範囲内である、本発明1008のデバイス。
[本発明1011]
隣接する試料接触領域の端部の間の間隔が、20μｍ〜1ｍｍの範囲内である、先行する本発明のいずれかのデバイス。
[本発明1012]
隣接する試料接触領域の端部の間の間隔が、100〜500μｍの範囲内である、先行する本発明のいずれかのデバイス。
[本発明1013]
各試料接触領域における前記層の前記均一な厚さの平均値が、10％未満の変動で、その中の前記スペーサの前記均一な高さと実質的に同じである、先行する本発明のいずれかのデバイス。
[本発明1014]
前記第1のプレートが、前記試料接触領域のうちの少なくとも1つに、
所定の横方向の面積を有し、かつ前記標的分析物を結合および固定化することができる捕捉剤を含む結合部位
を有する、先行する本発明のいずれかのデバイス。
[本発明1015]
前記閉鎖構成において、前記試料接触領域のいずれか1つの前記層の前記均一な厚さが、その中の前記結合部位の前記所定の横方向の面積よりも実質的に小さい、本発明1014のデバイス。
[本発明1016]
前記第2のプレートが、それぞれ前記第1のプレートの前記第1および前記第2の試料接触領域に対応する異なる位置に第1および第2の試料接触領域を有し、前記それぞれ対応する試料接触領域が、前記閉鎖構成で互いに重なり合う、先行する本発明のいずれかのデバイス。
[本発明1017]
前記第2のプレートが、前記試料接触領域のうちの少なくとも1つに、
所定の横方向の面積を有し、かつ前記試料に接触すると溶解して前記試料中に拡散する検出剤を含む貯蔵部位
を有する、本発明1016のデバイス。
[本発明1018]
隣接する試料接触領域の端部の間の最小間隔は、標的分析物または検出剤が適切な時間で拡散することができる距離よりも実質的に大きく、前記適切な時間は、
ｉ．前記標的分析物が前記閉鎖構成における前記均一な厚さの層の前記厚さを横切って拡散するのにかかる時間とほぼ等しいかまたはそれより長く、
ｉｉ．前記標的分析物が前記結合部位の前記所定の面積の直線寸法を横切って横方向に拡散するのにかかる時間よりも短い、先行する本発明のいずれかのデバイス。
[本発明1019]
隣接する試料接触領域間に流体の隔たりが存在しない、先行する本発明のいずれかのデバイス。
[本発明1020]
液体試料を分析するための方法であって、
（ａ）標的分析物を含む疑いのある試料を取得するステップと、
（ｂ）第1のプレート、第2のプレート、およびスペーサを取得するステップであって、
ｉ．前記プレートが、異なる構成へと互いに相対的に移動可能であり、
ｉｉ．一方または両方のプレートが可撓性であり、
ｉｉｉ．前記第1のプレートが、その内表面に、異なる位置に第1および第2の試料接触領域を有し、前記第1のプレートが、それぞれ前記第1および第2の試料接触領域に第1および第2の厚さを有し、前記試料接触領域が、標的分析物を含む疑いのある試料に接触するためのものであり、前記第1の厚さが、前記第2の厚さとは異なり、
ｉｖ．前記スペーサが、前記第1のプレートの内表面に固定され、各試料接触領域で所定の実質的に均一な高さを有し、
ｖ．前記スペーサの各々が、上端部を有し、前記スペーサの前記上端部が、一表面において実質的に整列している、前記取得するステップと、
（ｃ）前記プレートが前記開放構成にあるとき、前記プレートの一方または両方に前記試料を付着させるステップであって、
前記開放構成は、
前記2つのプレートが部分的または完全に分離され、前記2つのプレート間の間隔が、前記スペーサによって調節されず、前記試料が、前記プレートの一方または両方に付着する構成
である、前記付着させるステップと、
（ｄ）（ｃ）の後、前記2つのプレートを合わせ、前記プレートを前記閉鎖構成へと押圧するステップであって、
前記押圧することが、
並行または順次のいずれかで、前記プレートのうちの少なくとも1つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成は、前記開放構成において前記試料が付着した後に構成され、前記閉鎖構成において、前記付着した試料の少なくとも一部が、前記2つのプレートによって限定される層に前記2つのプレートによって圧縮され、前記層は、前記試料接触領域の各々にわたってそれぞれ実質的に均一な厚さを有し、前記層の前記均一な厚さが、前記プレートの前記それぞれの試料接触領域によって限定され、かつ前記それぞれの試料接触領域で前記プレートおよび前記スペーサによって調節される、前記押圧するステップと、
（ｅ）前記プレートが前記閉鎖構成にあるとき、前記均一な厚さの層中の前記標的分析物を分析するステップと、を含む、前記方法。
[本発明1021]
前記スペーサの前記均一な高さが、0．5〜100μｍの範囲内である、本発明1020の方法。
[本発明1022]
前記スペーサの前記均一な高さが、0．5〜20μｍの範囲内である、先行する本発明のいずれかの方法。
[本発明1023]
前記異なる試料接触領域の前記スペーサの前記均一な高さの差が、0．5〜100μｍの範囲内である、先行する本発明のいずれかの方法。
[本発明1024]
前記異なる試料接触領域の前記スペーサの前記均一な高さの差が、0．5〜50μｍの範囲内である、先行する本発明のいずれかの方法。
[本発明1025]
前記スペーサが、各試料接触領域で所定の実質的に一定のスペーサ間距離を有する、先行する本発明のいずれかの方法。
[本発明1026]
前記スペーサの前記一定のスペーサ間距離が、7〜200μｍの範囲内である、本発明1025の方法。
[本発明1027]
前記スペーサの前記一定のスペーサ間距離が、50〜150μｍの範囲内である、本発明1025の方法。
[本発明1028]
隣接する試料接触領域の端部の間の間隔が、20μｍ〜1ｍｍの範囲内である、先行する本発明のいずれかの方法。
[本発明1029]
隣接する試料接触領域の端部の間の間隔が、100〜500μｍの範囲内である、先行する本発明のいずれかの方法。
[本発明1030]
各試料接触領域における前記層の前記均一な厚さの平均値が、10％未満の変動で、その中の前記スペーサの前記均一な高さと実質的に同じである、先行する本発明のいずれかの方法。
[本発明1031]
ステップ（ｄ）の後およびステップ（ｅ）の前に、適合可能な押圧力を除去することをさらに含み、前記適合可能な押圧力の除去後の前記均一な厚さの層の前記厚さが、（ｉ）前記適合可能な押圧力を除去する前の前記均一な厚さの層のものと実質的に同じであり、（ｉｉ）前記スペーサの高さから10％未満逸脱する、先行する本発明のいずれかの方法。
[本発明1032]
前記適合可能に押圧することが、ヒトの手によって行われる、先行する本発明のいずれかの方法。
[本発明1033]
前記適合可能に押圧することが、加圧液体、加圧ガス、または適合可能な材料によって提供される、先行する本発明のいずれかの方法。
[本発明1034]
ステップ（ｃ）の前記試料付着が、いかなる移送デバイスも使用しない、対象から前記プレートへの直接的な付着である、先行する本発明のいずれかの方法。
[本発明1035]
ステップ（ｃ）の前記付着中、前記プレートに付着した前記試料の量が未知である、先行する本発明のいずれかの方法。
[本発明1036]
ステップ（ｅ）の前記分析することが、前記均一な厚さの層でアッセイを実行することを含む、先行する本発明のいずれかの方法。
[本発明1037]
前記アッセイが、結合アッセイまたは生化学アッセイである、本発明1036の方法。
[本発明1038]
前記第1のプレートが、前記試料接触領域のうちの少なくとも1つに、
所定の横方向の面積を有し、かつ前記標的分析物を結合および固定化することができる捕捉剤を含む結合部位
を有する、先行する本発明のいずれかの方法。
[本発明1039]
前記閉鎖構成において、前記試料接触領域のいずれか1つの前記層の前記均一な厚さが、その中の前記結合部位の前記所定の横方向の面積よりも実質的に小さい、本発明1038の方法。
[本発明1040]
前記第2のプレートが、前記試料接触領域のうちの少なくとも1つに、
所定の横方向の面積を有し、かつ前記試料に接触すると前記試料中に溶解して前記試料中に拡散する濃度の検出剤を含む貯蔵部位
を有する、先行する本発明のいずれかの方法。
[本発明1041]
隣接する試料接触領域の前記端部の間の最小間隔は、標的分析物または検出剤が適切な時間で拡散することができる距離よりも実質的に大きく、前記隣接する試料接触領域間に流体の隔たりが存在せず、前記適切な時間の長さは、
ｉ．前記標的分析物が前記閉鎖構成における前記均一な厚さの層の前記厚さを横切って拡散するのにかかる時間とほぼ等しいかまたはそれより長く、かつ
ｉｉ．前記標的分析物が前記結合部位の前記所定の面積の直線寸法を横切って横方向に拡散するのにかかる時間よりも短い、先行する本発明のいずれかの方法。
[本発明1042]
ステップ（ｅ）の前記分析することが、
（1）適切な時間の長さで前記試料をインキュベートし、次いで、前記インキュベーションを停止すること、または
（2）前記試料を適切な時間の長さの最小値以上の時間インキュベートし、次いで、前記適切な時間の長さの最大値以下の期間内に、結合部位への各標的分析物の前記結合を評価し、
それによって（1）の前記インキュベーションの終了時もしくは（2）の前記評価中に、各結合部位と結合した捕捉剤−標的分析物−検出剤サンドイッチ中の前記標的分析物の大部分が、対応する適切な体積の試料に由来するものである反応物を生成することであって、
前記インキュベーションにより、各標的分析物が結合部位および検出剤と結合することができ、前記対応する適切な体積が、前記閉鎖構成で対応する貯蔵部位の上にある前記試料の部分である、前記生成すること、を含む、先行する本発明のいずれかの方法。
[本発明1043]
前記反応物が、60秒未満で飽和される、先行する本発明のいずれかの方法。
[本発明1044]
前記適切な時間の長さが60秒〜30分の範囲内である、先行する本発明のいずれかの方法。
[本発明1045]
ステップ（ｅ）の前記分析することが、
ｉ．フォトルミネセンス、エレクトロルミネセンス、および電気化学ルミネセンスから選択されるルミネセンス、
ｉｉ．光吸収、反射、透過、回折、散乱、または拡散、
ｉｉｉ．表面ラマン散乱、
ｉｖ．抵抗、静電容量、およびインダクタンスから選択される電気インピーダンス、
ｖ．磁気緩和能、ならびに
ｖｉ．ｉ〜ｖの任意の組み合わせ
からなる群から選択される標的分析物関連信号を測定することを含み、
前記標的分析物関連信号が、前記試料中の前記標的分析物の量に比例しかつそれを反映する信号である、先行する本発明のいずれかの方法。
[本発明1046]
前記分析ステップ（ｅ）が、
適切な試料接触領域から測定された前記標的分析物関連信号から最適な信号を決定することを含み、前記適切な試料接触領域が、同じ標的分析物を検出するための前記結合部位および／または貯蔵部位を含む前記試料接触領域である、本発明1045の方法。
[本発明1047]
前記最適な標的分析物関連信号が、最小および最大検出閾値の間の範囲内の前記測定された標的分析物関連信号を選択することによって決定され、前記プレートの前記最小および最大検出閾値、ならびに検出器が前記信号測定に使用される、本発明1045の方法。
[本発明1048]
前記最適な標的分析物関連信号が、前記アッセイの線形検出範囲内の前記測定された標的分析物関連信号を選択することによって決定され、前記線形検出範囲が、標的分析物関連信号の強度の範囲であり、その中で前記信号強度が、前記アッセイされた標的分析物の量と直線的な相関を有する、本発明1045の方法。
[本発明1049]
前記分析ステップ（ｅ）が、前記適切な試料体積の前記横方向の面積を測定することによって適切な試料体積の体積を計算することと、前記横方向の面積および前記所定のスペーサの高さから体積を計算することと、を含み、前記適切な体積が、前記試料の一部または全体の体積である、先行する本発明のいずれかの方法。
[本発明1050]
前記分析ステップ（ｅ）が、前記標的分析物の読み取り、画像分析、もしくは計数、またはそれらの組み合わせを含む、先行する本発明のいずれかの方法。
[本発明1051]
1回以上の洗浄をさらに含む、先行する本発明のいずれかの方法。
[本発明1052]
前記付着した試料が、0．5μＬ未満の総体積を有する、先行する本発明のいずれかの方法。
[本発明1053]
前記液体試料が、羊水、房水、硝子体液、血液（例えば、全血、分画血液、血漿、または血清）、母乳、脳脊髄液（ＣＳＦ）、耳垢（ｃｅｒｕｍｅｎ）（耳垢（ｅａｒｗａｘ））、乳糜、糜汁、内リンパ液、外リンパ液、糞便、呼気、胃酸、胃液、リンパ液、粘液（鼻漏および痰を含む）、心膜液、腹膜液、胸膜液、膿、粘膜分泌物、唾液、呼気凝縮液、皮脂、精液、痰、汗、滑液、涙、嘔吐物、尿、およびそれらの任意の組み合わせからなる群から選択される生体試料から作製される、先行する本発明のいずれかの方法。
[本発明1054]
前記試料が、河川、湖、池、海、氷河、氷山、雨、雪、下水、貯水池、水道水、または飲料水からなる群から選択される供給源からの環境液体試料、土壌、堆肥、砂、岩、コンクリート、木材、レンガ、下水からの固体試料、およびそれらの任意の組み合わせである、先行する本発明のいずれかの方法。
[本発明1055]
前記試料が、空気、水中熱排気口、産業排気、車両排気、およびそれらの任意の組み合わせからなる群から選択される供給源からの環境ガス試料である、先行する本発明のいずれかの方法。
[本発明1056]
前記試料が、生の材料、調理済みの食品、植物および動物源の食糧、前処理済みの食品、および部分的または完全に処理済みの食品、ならびにそれらの任意の組み合わせからなる群から選択される食品試料である、先行する本発明のいずれかの方法。
[本発明1057]
前記試料が、ヒトの血液であり、前記付着させるステップが、（ａ）ヒトの皮膚を刺すことにより、血液の小滴を前記皮膚に放出することと、（ｂ）血液移送ツールを使用せずに前記血液の小滴をフィルターと接触させることと、を含む、先行する本発明のいずれかの方法。
[本発明1058]
液体試料の並列多重化アッセイのための方法であって、
（ａ）標的分析物を含む疑いのある試料を取得するステップと、
（ｂ）第1のプレート、第2のプレート、およびスペーサを取得するステップであって、
ｉ．前記プレートが、開放構成および閉鎖構成を含む異なる構成へと互いに相対的に移動可能であり、
ｉｉ．前記プレートの一方または両方が可撓性であり、
ｉｉｉ．前記第1のプレートが、その内表面に、異なる位置に第1および第2の試料接触領域を有し、前記第1のプレートが、それぞれ前記第1および第2の試料接触領域に第1および第2の厚さを有し、前記試料接触領域が、標的分析物を含む疑いのある試料に接触するためのものであり、前記第1の厚さが、前記第2の厚さとは異なり、
ｉｖ．前記第1のプレートが、前記試料接触領域のうちの少なくとも1つに、
所定の横方向の面積を有し、かつ前記標的分析物を結合および固定化することができる捕捉剤を含む結合部位
を有し、
ｖ．前記第2のプレートが、前記試料接触領域のうちの少なくとも1つに、
所定の横方向の面積を有し、かつ前記試料に接触すると溶解して前記試料中に拡散する検出剤を含む貯蔵部位
を有し、
ｖｉ．前記スペーサが、前記プレートの一方または両方の前記それぞれの内表面に固定され、各試料接触領域で所定の実質的に均一な高さを有し、
ｖｉｉ．前記スペーサの各々が、上端部を有し、前記スペーサの前記上端部が、一表面において実質的に整列しており、
各捕捉剤、標的分析物、および対応する検出剤が、前記第1のプレートの結合部位において捕捉剤−標的分析物−検出剤サンドイッチを形成することができる、前記取得するステップと、
（ｃ）前記プレートが前記開放構成にあるとき、前記プレートの一方または両方に前記試料を付着させるステップであって、
前記開放構成は、
前記2つのプレートが部分的または完全に分離され、前記プレート間の間隔が、前記スペーサによって調節されず、前記試料が、前記プレートの一方または両方に付着する構成
である、前記付着させるステップと、
（ｄ）（ｃ）の後、前記2つのプレートを合わせ、前記プレートを前記閉鎖構成へと押圧するステップであって、
前記押圧することが、
並行または順次のいずれかで、前記プレートのうちの少なくとも1つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成は、前記開放構成において前記試料が付着した後に構成され、前記閉鎖構成において、前記2つのプレート上の前記対応する試料接触領域が、それぞれ互いに重なっており、前記付着した試料の少なくとも一部が、前記2つのプレートによって限定される層に前記2つのプレートによって圧縮され、前記層は、前記試料接触領域の各々にわたってそれぞれ実質的に均一な厚さを有し、前記層の前記均一な厚さが、前記プレートの前記それぞれの試料接触領域によって制限され、前記それぞれの試料接触領域で前記プレートおよび前記スペーサによって調節される、前記押圧するステップと、
（ｅ）（ｄ）の後および前記プレートが前記閉鎖構成にある間に、
（1）適切な時間の長さで前記試料をインキュベートし、次いで、前記インキュベーションを停止するステップ、または
（2）前記試料を適切な時間の長さの最小値以上の時間インキュベートし、次いで、前記適切な時間の長さの最大値以下の期間内に、結合部位への各標的分析物の前記結合を評価し、
それによって（1）の前記インキュベーションの終了時もしくは（2）の前記評価中に、各結合部位と結合した捕捉剤−標的分析物−検出剤サンドイッチ中の標的分析物の大部分が対応する適切な体積の前記試料に由来するものである反応物を生成するステップであって、
前記インキュベーションにより、各標的分析物が結合部位および検出剤と結合することができ、前記対応する適切な体積が、前記閉鎖構成で対応する貯蔵部位の上にある前記試料の部分である、前記生成するステップ、を含み、
前記適切な時間は、
（ｉ）前記標的分析物が前記閉鎖構成における前記均一な厚さの層の前記厚さを横切って拡散するのにかかる時間とほぼ等しいかまたはそれより長く、かつ
（ｉｉ）前記標的分析物が前記結合部位の前記所定の面積の直線寸法を横切って横方向に拡散するのにかかる時間よりも短い、前記方法。
[本発明1059]
ステップ（ｅ）が、
ｉ．フォトルミネセンス、エレクトロルミネセンス、および電気化学ルミネセンスから選択されるルミネセンス、
ｉｉ．光吸収、反射、透過、回折、散乱、または拡散、
ｉｉｉ．表面ラマン散乱、
ｉｖ．抵抗、静電容量、およびインダクタンスから選択される電気インピーダンス、
ｖ．磁気緩和能、ならびに
ｖｉ．ｉ〜ｖの任意の組み合わせ
からなる群から選択される標的分析物関連信号を測定することを含み、
前記標的分析物関連信号が、前記結合部位に対する前記標的分析物の結合に比例しかつそれを反映する信号である、本発明1058の方法。
[本発明1060]
前記分析ステップ（ｅ）が、
適切な試料接触領域から測定された前記標的分析物関連信号から最適な信号を決定することを含み、前記適切な試料接触領域が、同じ標的分析物を検出するための前記結合部位および／または貯蔵部位を含む前記試料接触領域である、本発明1059の方法。
[本発明1061]
前記最適な標的分析物関連信号が、最小および最大検出閾値の間の範囲内の前記測定された標的分析物関連信号を選択することによって決定され、前記プレートの前記最小および最大検出閾値、ならびに検出器が前記信号測定に使用される、本発明1060の方法。
[本発明1062]
前記最適な標的分析物関連信号が、前記アッセイの線形検出範囲内の前記測定された標的分析物関連信号を選択することによって決定され、前記線形検出範囲が、標的分析物関連信号の強度の範囲であり、その中で前記信号強度が、前記アッセイされた標的分析物の量と直線的な相関を有する、本発明1060の方法。
[本発明1063]
前記結合部位が、乾燥した試薬のパッチによって定義される、先行する本発明のいずれかのデバイスまたは方法。
[本発明1064]
前記結合部位が、一対の電極の間にある、先行する本発明のいずれかのデバイスまたは方法。
[本発明1065]
前記標的分析物が増幅部位から500ｎｍ以内にある場合に、一方または両方のプレート内表面が、前記標的分析物関連信号をそれぞれ増幅することができる1つまたは複数の増幅部位を含む、先行する本発明のいずれかのデバイスまたは方法。
[本発明1066]
前記プレートが、200μｍ未満の厚さを有する、先行する本発明のいずれかのデバイスまたは方法。
[本発明1067]
前記プレートが、100μｍ未満の厚さを有する、先行する本発明のいずれかのデバイスまたは方法。
[本発明1068]
前記プレートの各々が、5ｃｍ2未満の面積を有する、先行する本発明のいずれかのデバイスまたは方法。
[本発明1069]
前記プレートの各々が、2ｃｍ2未満の面積を有する、先行する本発明のいずれかのデバイスまたは方法。
[本発明1070]
前記プレートのうちの少なくとも1つが、部分的または完全に透明である、先行する本発明のいずれかのデバイスまたは方法。
[本発明1071]
前記プレートのうちの少なくとも1つが可撓性ポリマーで作られている、先行する本発明のいずれかのデバイスまたは方法。
[本発明1072]
前記プレートのうちの少なくとも1つが、可撓性プレートであり、前記可撓性プレートの厚さ×前記可撓性プレートのヤング率が、60〜75ＧＰａ−μｍの範囲内である、先行する本発明のいずれかのデバイスまたは方法。
[本発明1073]
前記スペーサが、丸形、多角形、円形、正方形、長方形、楕円形、長円形、またはそれらの任意の組み合わせから選択される断面形状を有するスペーサである、先行する本発明のいずれかのデバイスまたは方法。
[本発明1074]
前記スペーサが柱形状を有し、実質的に平坦な上面を有し、各スペーサに関して、前記スペーサの横方向寸法とその高さとの比率が少なくとも1である、先行する本発明のいずれかのデバイスまたは方法。
[本発明1075]
各スペーサが、
少なくとも1である、前記スペーサの前記横方向寸法とその高さとの比率
を有する、先行する本発明のいずれかのデバイスまたは方法。
[本発明1076]
スペーサの最小横方向寸法が、前記試料中の標的分析物の最小寸法よりも小さいか、または実質的に等しい、先行する本発明のいずれかのデバイスまたは方法。
[本発明1077]
前記スペーサが柱形状を有し、前記スペーサの側壁角が少なくとも1μｍの曲率半径を有する丸い形状を有する、先行する本発明のいずれかのデバイスまたは方法。
[本発明1078]
前記スペーサが、少なくとも100／ｍｍ2の密度を有する、先行する本発明のいずれかのデバイスまたは方法。
[本発明1079]
前記スペーサが、少なくとも1000／ｍｍ2の密度を有する、先行する本発明のいずれかのデバイスまたは方法。
[本発明1080]
前記スペーサが、少なくとも1％の充填率を有し、前記充填率が、前記均一な厚さの層と接触している前記スペーサ面積と、前記均一な厚さの層と接触している全プレート面積との比率である、先行する本発明のいずれかのデバイスまたは方法。
[本発明1081]
前記スペーサのヤング率×前記スペーサの前記充填率が、10ＭＰａ以上であり、前記充填率が、前記均一な厚さの層と接触している前記スペーサ面積と、前記均一な厚さの層と接触している全プレート面積との比率である、先行する本発明のいずれかのデバイスまたは方法。
[本発明1082]
ａ．前記プレートのうちの少なくとも1つが可撓性であり、
ｂ．前記可撓性プレートに関して、前記スペーサ間距離（ＩＳＤ）の4乗を前記可撓性プレートの厚さ（ｈ）および前記可撓性プレートのヤング率（Ｅ）で割ったＩＳＤ4／（ｈＥ）が、106ｕｍ3／ＧＰａ以下である、先行する本発明のいずれかのデバイスまたは方法。
[本発明1083]
前記スペーサが、前記プレートを直接エンボス加工するか、または射出成形することによってプレートに固定される、先行する本発明のいずれかのデバイスまたは方法。
[本発明1084]
前記プレートおよび前記スペーサの材料が、ポリスチレン、ＰＭＭＧ、ＰＣ、ＣＯＣ、ＣＯＰ、または別のプラスチックから独立して選択される、先行する本発明のいずれかのデバイスまたは方法。
[本発明1085]
（ａ）標的分析物を含む疑いのある試料を取得するステップと、
（ｂ）第1のプレート、第2のプレート、およびスペーサを取得するステップであって、
ｉ．前記プレートが、開放構成および閉鎖構成を含む異なる構成へと互いに相対的に移動可能であり、
ｉｉ．前記プレートの一方または両方が可撓性であり、
ｉｉｉ．前記第1のプレートが、その内表面に、異なる位置に第1および第2の試料接触領域を有し、前記第2のプレートが、その内表面に、それぞれ前記第1のプレートの第1および第2の試料接触領域に対応する異なる位置に第1および第2の試料接触領域を有し、前記試料接触領域が、前記試料と接触するためのものであり、
ｉｖ．前記スペーサが、前記プレートの一方または両方の前記それぞれの内表面に固定され、各試料接触領域で所定の実質的に均一な高さを有し、
ｖ．前記第1の試料接触領域の前記スペーサの高さが、前記第2の試料接触領域のスペーサの高さと異なる、前記取得するステップと、
（ｃ）前記プレートが前記開放構成にあるとき、前記プレートの一方または両方に前記試料を付着させるステップであって、
前記開放構成は、
前記2つのプレートが部分的または完全に分離され、前記2つのプレート間の間隔が、前記スペーサによって調節されず、前記試料が、前記プレートの一方または両方に付着する構成
である、前記付着させるステップと、
（ｄ）（ｃ）の後、前記2つのプレートを合わせ、前記プレートを前記閉鎖構成へと押圧するステップであって、
前記押圧することが、
並行または順次のいずれかで、前記プレートのうちの少なくとも1つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成において、前記それぞれの対応する試料接触領域が、互いに重なっており、前記付着した試料の少なくとも一部が、前記2つのプレートによって限定される層に前記2つのプレートによって圧縮され、前記層は、前記試料接触領域の各々にわたってそれぞれ実質的に均一な厚さを有し、前記層の前記均一な厚さが、前記プレートの前記それぞれの試料接触領域によって制限され、前記それぞれの試料接触領域で前記プレートおよび前記スペーサによって調節される、前記押圧するステップと、
（ｅ）前記均一な厚さの層内の前記標的分析物の有無、量、および／または濃度を、（1）それぞれ前記第1および前記第2の試料接触領域上の前記層内の標的分析物関連信号を測定すること、（2）前記第1の試料接触領域で測定された前記信号と前記第2の試料接触領域で測定された前記信号との比率を決定することによって分析するステップであって、前記標的分析物関連信号が、前記試料中の前記標的分析物の量に比例しかつそれを反映する信号である、前記分析するステップと、を含む、方法。
[本発明1086]
液体試料を分析するためのデバイスであって、
第1のプレートと、第2のプレートと、スペーサと、を備え、
ｉ．前記プレートが、異なる構成へと互いに相対的に移動可能であり、
ｉｉ．一方または両方のプレートが可撓性であり、
ｉｉｉ．前記第1のプレートが、その内表面に、異なる位置に第1および第2の試料接触領域を有し、前記第2のプレートが、その内表面に、それぞれ前記第1のプレートの前記第1および前記第2の試料接触領域に対応する異なる位置に第1および第2の試料接触領域を有し、前記試料接触領域が、標的分析物を含む疑いのある試料と接触するためのものであり、
ｉｖ．前記スペーサが、前記プレートの一方または両方の前記それぞれの内表面に固定され、各試料接触領域で所定の実質的に均一な高さを有し、
ｖ．前記第1の試料接触領域の前記スペーサの高さが、前記第2の試料接触領域のスペーサの高さと異なり、
前記構成のうちの1つが開放構成であり、前記開放構成において、前記2つのプレートが部分的または完全に分離され、前記プレート間の間隔が、前記スペーサによって調節されず、前記試料が、前記プレートの一方または両方に付着し、
前記構成の別の構成は、前記開放構成において前記試料が付着した後に構成される閉鎖構成であり、前記閉鎖構成において、前記それぞれの対応する試料接触領域が、互いに重なっており、前記付着した試料の少なくとも一部が、前記2つのプレートによって限定される層に前記2つのプレートによって圧縮され、前記層は、前記試料接触領域の各々にわたってそれぞれ実質的に均一な厚さを有し、前記層の前記均一な厚さが、前記それぞれの試料接触領域によって限定され、かつ前記それぞれの試料接触領域で前記プレートおよび前記スペーサによって調節される、デバイス。
[本発明1087]
液体試料の並列多重化アッセイのためのデバイスであって、
第1のプレートと、第2のプレートと、スペーサと、を備え、
ｉ．前記プレートが、異なる構成へと互いに相対的に移動可能であり、
ｉｉ．前記プレートの一方または両方が可撓性であり、
ｉｉｉ．前記第1のプレートが、その内表面に、異なる位置に第1および第2の試料接触領域を有し、前記第2のプレートが、その内表面に、それぞれ前記第1のプレートの前記第1および前記第2の試料接触領域に対応する異なる位置に第1および第2の試料接触領域を有し、前記試料接触領域が、標的分析物を含む疑いのある試料と接触するためのものであり、
ｉｖ．前記第1のプレートが、前記試料接触領域のうちの少なくとも1つに、
所定の横方向の面積を有し、かつ前記標的分析物を結合および固定化することができる捕捉剤を含む結合部位
を有し、
ｖ．第1および第2の試料接触領域の前記第2のプレートが、前記試料接触領域のうちの少なくとも1つに、
所定の横方向の面積を有し、かつ前記試料に接触すると溶解して前記試料中に拡散する検出剤を含む貯蔵部位
を有し、
ｖｉ．前記スペーサが、前記プレートの1つ以上の前記それぞれの内表面に固定され、各試料接触領域で所定の実質的に均一な高さを有し、
ｖｉｉ．前記第1の試料接触領域の前記スペーサの高さが、前記第2の試料接触領域のスペーサの高さと異なり、
前記構成のうちの1つが開放構成であり、前記開放構成において、前記2つのプレートが部分的または完全に分離され、前記プレート間の間隔が、前記スペーサによって調節されず、前記試料が、前記プレートの一方または両方に付着し、
前記構成の別の構成は、前記開放構成において前記試料が付着した後に構成される閉鎖構成であり、前記閉鎖構成において、前記2つのプレート上の前記それぞれの対応する試料接触領域が、互いに重なっており、前記付着した試料の少なくとも一部が、前記2つのプレートによって限定される層に前記2つのプレートによって圧縮され、前記層は、前記試料接触領域の各々にわたってそれぞれ実質的に均一な厚さを有し、前記層の前記均一な厚さが、前記それぞれの試料接触領域によって限定され、かつ前記それぞれの試料接触領域で前記プレートおよび前記スペーサによって調節され、
各捕捉剤、標的分析物、および対応する検出剤が、前記第1のプレートの前記結合部位において捕捉剤−標的分析物−検出剤サンドイッチを形成することができ、
隣接する試料接触領域間に流体の隔たりが存在せず、
隣接する試料接触領域の端部の間の最小間隔は、標的分析物または検出剤が、
（1）前記標的分析物が前記閉鎖構成における前記均一な厚さの層の前記厚さを横切って拡散するのにかかる時間とほぼ等しいかまたはそれより長く、かつ
（2）前記標的分析物が前記結合部位の前記所定の面積の直線寸法を横切って横方向に拡散するのにかかる時間よりも短い期間で拡散することができる距離よりも実質的に大きい、前記デバイス。
[本発明1088]
液体試料を分析するための方法であって、
（ａ）標的分析物を含む疑いのある試料を取得するステップと、
（ｂ）第1のプレート、第2のプレート、およびスペーサを取得するステップであって、
ｉ．前記プレートが、開放構成および閉鎖構成を含む異なる構成へと互いに相対的に移動可能であり、
ｉｉ．前記プレートの一方または両方が可撓性であり、
ｉｉｉ．前記第1のプレートが、その内表面に、異なる位置に第1および第2の試料接触領域を有し、前記第2のプレートが、その内表面に、それぞれ前記第1のプレートの前記第1および前記第2の試料接触領域に対応する異なる位置に第1および第2の試料接触領域を有し、前記試料接触領域が、前記試料と接触するためのものであり、
ｉｖ．前記スペーサが、前記プレートの一方または両方の前記それぞれの内表面に固定され、各試料接触領域で所定の実質的に均一な高さを有し、
ｖ．前記第1の試料接触領域の前記スペーサの高さが、前記第2の試料接触領域のスペーサの高さと異なる、前記取得するステップと、
（ｃ）前記プレートが前記開放構成にあるとき、前記プレートの一方または両方に前記試料を付着させるステップであって、
前記開放構成は、
前記2つのプレートが部分的または完全に分離され、前記2つのプレート間の間隔が、前記スペーサによって調節されず、前記試料が、前記プレートの一方または両方に付着する構成
である、前記付着させるステップと、
（ｄ）（ｃ）の後、前記2つのプレートを合わせ、前記プレートを前記閉鎖構成へと押圧するステップであって、
前記押圧することが、
並行または順次のいずれかで、前記プレートのうちの少なくとも1つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成は、前記開放構成において前記試料が付着した後に構成され、前記閉鎖構成において、前記それぞれの対応する試料接触領域が、互いに重なっており、前記付着した試料の少なくとも一部が、前記2つのプレートによって限定される層に前記2つのプレートによって圧縮され、前記層は、前記試料接触領域の各々にわたってそれぞれ実質的に均一な厚さを有し、前記層の前記均一な厚さが、前記プレートの前記それぞれの試料接触領域によって限定され、かつ前記それぞれの試料接触領域で前記プレートおよび前記スペーサによって調節される、前記押圧するステップと、
（ｅ）前記プレートが前記閉鎖構成にあるとき、前記均一な厚さの層中の前記標的分析物を分析するステップと、を含む、前記方法。
[本発明1089]
液体試料を分析するための方法であって、
（ａ）標的分析物を含む疑いのある試料を取得するステップと、
（ｂ）第1のプレート、第2のプレート、およびスペーサを取得するステップであって、
ｉ．前記プレートが、開放構成および閉鎖構成を含む異なる構成へと互いに相対的に移動可能であり、
ｉｉ．前記プレートの一方または両方が可撓性であり、
ｉｉｉ．前記第1のプレートが、その内表面に、異なる位置に第1および第2の試料接触領域を有し、前記第2のプレートが、その内表面に、それぞれ前記第1のプレートの前記第1および前記第2の試料接触領域に対応する異なる位置に第1および第2の試料接触領域を有し、前記試料接触領域が、前記試料と接触するためのものであり、
ｉｖ．前記スペーサが、前記プレートの一方または両方の前記それぞれの内表面に固定され、各試料接触領域で所定の実質的に均一な高さを有し、
ｖ．前記第1の試料接触領域の前記スペーサの高さが、前記第2の試料接触領域のスペーサの高さと異なる、前記取得するステップと、
（ｃ）前記プレートが前記開放構成にあるとき、前記プレートの一方または両方に前記試料を付着させるステップであって、
前記開放構成は、
前記2つのプレートが部分的または完全に分離され、前記2つのプレート間の間隔が、前記スペーサによって調節されず、前記試料が、前記プレートの一方または両方に付着する構成
である、前記付着させるステップと、
（ｄ）（ｃ）の後、前記2つのプレートを合わせ、前記プレートを前記閉鎖構成へと押圧するステップであって、
前記押圧することが、
並行または順次のいずれかで、前記プレートのうちの少なくとも1つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成において、前記それぞれの対応する試料接触領域が、互いに重なっており、前記付着した試料の少なくとも一部が、前記2つのプレートによって限定される層に前記2つのプレートによって圧縮され、前記層は、前記試料接触領域の各々にわたってそれぞれ実質的に均一な厚さを有し、前記層の前記均一な厚さが、前記プレートの前記それぞれの試料接触領域によって限定され、かつ前記それぞれの試料接触領域で前記プレートおよび前記スペーサによって調節される、前記押圧するステップと、
（ｅ）前記均一な厚さの層内の前記標的分析物の有無、量、および／または濃度を、（1）それぞれ前記第1および前記第2の試料接触領域上の前記層内の標的分析物関連信号を測定すること、（2）前記第1の試料接触領域で測定された前記信号と前記第2の試料接触領域で測定された前記信号との比率を決定することによって分析するステップであって、前記標的分析物関連信号が、前記試料中の前記標的分析物の量に比例しかつそれを反映する信号である、前記分析するステップと、を含む、前記方法。
[本発明1090]
液体試料の並列多重化アッセイのための方法であって、
（ａ）標的分析物を含む疑いのある試料を取得するステップと、
（ｂ）第1のプレート、第2のプレート、およびスペーサを取得するステップであって、
ｉ．前記プレートが、開放構成および閉鎖構成を含む異なる構成へと互いに相対的に移動可能であり、
ｉｉ．前記プレートの一方または両方が可撓性であり、
ｉｉｉ．前記第1のプレートが、その内表面に、異なる位置に第1および第2の試料接触領域を有し、前記第2のプレートが、その内表面に、それぞれ前記第1のプレートの前記第1および前記第2の試料接触領域に対応する異なる位置に第1および第2の試料接触領域を有し、前記試料接触領域が、前記試料と接触するためのものであり、
ｉｖ．前記第1のプレートが、前記試料接触領域のうちの少なくとも1つに、
所定の横方向の面積を有し、かつ前記標的分析物を結合および固定化することができる捕捉剤を含む結合部位
を有し、
ｖ．第1および第2の試料接触領域の前記第2のプレートが、前記試料接触領域のうちの少なくとも1つに、
所定の横方向の面積を有し、かつ前記試料に接触すると溶解して前記試料中に拡散する検出剤を含む貯蔵部位
を有し、
ｖｉ．前記スペーサが、前記プレートの一方または両方の前記それぞれの内表面に固定され、各試料接触領域で所定の実質的に均一な高さを有し、
各捕捉剤、標的分析物、および対応する検出剤が、前記第1のプレートの結合部位において捕捉剤−標的分析物−検出剤サンドイッチを形成することができる、前記取得するステップと、
（ｃ）前記プレートが前記開放構成にあるとき、前記プレートの一方または両方に前記試料を付着させるステップであって、
前記開放構成は、
前記2つのプレートが部分的または完全に分離され、前記プレート間の間隔が、前記スペーサによって調節されず、前記試料が、前記プレートの一方または両方に付着する構成
である、前記付着させるステップと、
（ｄ）（ｃ）の後、前記2つのプレートを合わせ、前記プレートを前記閉鎖構成へと押圧するステップであって、
前記押圧することが、
並行または順次のいずれかで、前記プレートのうちの少なくとも1つの領域を適合可能に押圧し、前記プレートを一緒に前記閉鎖構成へと押圧すること
を含み、前記適合可能に押圧することが、前記試料の前記少なくとも一部にわたって前記プレートに実質的に均一な圧力を発生させ、前記押圧することが、前記試料の前記少なくとも一部を前記プレートの前記内表面間で横方向に広げ、
前記閉鎖構成は、前記開放構成において前記試料が付着した後に構成され、前記閉鎖構成において、前記2つのプレート上の前記対応する試料接触領域が、それぞれ互いに重なっており、前記付着した試料の少なくとも一部が、前記2つのプレートによって限定される層に前記2つのプレートによって圧縮され、前記層は、前記試料接触領域の各々にわたってそれぞれ実質的に均一な厚さを有し、前記層の前記均一な厚さが、前記プレートの前記それぞれの試料接触領域によって限定され、かつ前記それぞれの試料接触領域で前記プレートおよび前記スペーサによって調節される、前記押圧するステップと、
（ｅ）（ｄ）の後および前記プレートが前記閉鎖構成にある間に、
（1）適切な時間の長さで前記試料をインキュベートし、次いで、前記インキュベーションを停止するステップ、または
（2）前記試料を適切な時間の長さの最小値以上の時間インキュベートし、次いで、前記適切な時間の長さの最大値以下の期間内に、結合部位への各標的分析物の前記結合を評価し、
それによって（1）の前記インキュベーションの終了時もしくは（2）の前記評価中に、各結合部位と結合した捕捉剤−標的分析物−検出剤サンドイッチ中の前記標的分析物の大部分が、対応する適切な体積の試料に由来するものである反応物を生成するステップであって、
前記インキュベーションにより、各標的分析物が結合部位および検出剤と結合することができ、前記対応する適切な体積が、前記閉鎖構成で対応する貯蔵部位の上にある前記試料の部分である、前記生成するステップ、を含み、
前記適切な時間は、
（ｉ）前記標的分析物が前記閉鎖構成における前記均一な厚さの層の前記厚さを横切って拡散するのにかかる時間とほぼ等しいかまたはそれより長く、かつ
（ｉｉ）前記標的分析物が前記結合部位の前記所定の面積の直線寸法を横切って横方向に拡散するのにかかる時間よりも短い、前記方法。
[本発明1091]
前記スペーサの前記均一な高さが、0．5〜100μｍの範囲内である、本発明1086のデバイス。
[本発明1092]
前記スペーサの前記均一な高さが、0．5〜20μｍの範囲内である、先行する本発明のいずれかのデバイス。
[本発明1093]
前記第1および第2の試料接触領域の前記スペーサの前記均一な高さの差が、0．5〜100μｍの範囲内である、先行する本発明のいずれかのデバイス。
[本発明1094]
前記第1および第2の試料接触領域の前記スペーサの前記均一な高さの差が、0．5〜50μｍの範囲内である、先行する本発明のいずれかのデバイス。
[本発明1094]
前記スペーサが、各試料接触領域で所定の実質的に一定のスペーサ間距離を有する、先行する本発明のいずれかのデバイス。
[本発明1096]
前記スペーサの前記一定のスペーサ間距離が、7〜200μｍの範囲内である、本発明1086のデバイス。
[本発明1097]
前記スペーサの前記一定のスペーサ間距離が、50〜150μｍの範囲内である、本発明1086のデバイス。
[本発明1098]
隣接する試料接触領域の端部の間の間隔が、20μｍ〜1ｍｍの範囲内である、先行する本発明のいずれかのデバイス。
[本発明1099]
隣接する試料接触領域の端部の間の間隔が、100〜500μｍの範囲内である、先行する本発明のいずれかのデバイス。
[本発明1100]
各試料接触領域における前記層の前記均一な厚さの平均値が、10％未満の変動で、その中の前記スペーサの前記均一な高さと実質的に同じである、先行する本発明のいずれかのデバイス。
[本発明1101]
前記第1のプレートが、前記試料接触領域のうちの少なくとも1つに、
所定の横方向の面積を有し、かつ前記標的分析物を結合および固定化することができる捕捉剤を含む結合部位
を有する、先行する本発明のいずれかのデバイス。
[本発明1102]
前記閉鎖構成において、前記試料接触領域のいずれか1つの前記層の前記均一な厚さが、その中の前記結合部位の前記所定の横方向の面積よりも実質的に小さい、本発明1101のデバイス。
[本発明1103]
前記第2のプレートが、それぞれ前記第1のプレートの前記第1および前記第2の試料接触領域に対応する異なる位置に第1および第2の試料接触領域を有し、前記それぞれ対応する試料接触領域が、前記閉鎖構成で互いに重なり合う、先行する本発明のいずれかのデバイス。
[本発明1104]
前記第2のプレートが、前記試料接触領域のうちの少なくとも1つに、
所定の横方向の面積を有し、かつ前記試料に接触すると溶解して前記試料中に拡散する検出剤を含む貯蔵部位
を有する、本発明1103のデバイス。
[本発明1105]
隣接する試料接触領域の端部の間の最小間隔は、標的分析物または検出剤が適切な時間で拡散することができる距離よりも実質的に大きく、前記適切な時間は、
ｉｉｉ．前記標的分析物が前記閉鎖構成における前記均一な厚さの層の前記厚さを横切って拡散するのにかかる時間とほぼ等しいかまたはそれより長く、かつ
ｉｖ．前記標的分析物が前記結合部位の前記所定の面積の直線寸法を横切って横方向に拡散するのにかかる時間よりも短い、先行する本発明のいずれかのデバイス。
[本発明1106]
隣接する試料接触領域間に流体の隔たりが存在しない、先行する本発明のいずれかのデバイス。
[本発明1107]
前記スペーサの前記均一な高さが、0．5〜100μｍの範囲内である、本発明1088または本発明1089の方法。
[本発明1108]
前記スペーサの前記均一な高さが、0．5〜20μｍの範囲内である、先行する本発明のいずれかの方法。
[本発明1109]
前記異なる試料接触領域の前記スペーサの前記均一な高さの差が、0．5〜100μｍの範囲内である、先行する本発明のいずれかの方法。
[本発明1110]
前記異なる試料接触領域の前記スペーサの前記均一な高さの差が、0．5〜50μｍの範囲内である、先行する本発明のいずれかの方法。
[本発明1111]
前記スペーサが、各試料接触領域で所定の実質的に一定のスペーサ間距離を有する、先行する本発明のいずれかの方法。
[本発明1112]
前記スペーサの前記一定のスペーサ間距離が、7〜200μｍの範囲内である、本発明1111の方法。
[本発明1113]
前記スペーサの前記一定のスペーサ間距離が、50〜150μｍの範囲内である、本発明1111の方法。
[本発明1114]
隣接する試料接触領域の端部の間の間隔が、20μｍ〜1ｍｍの範囲内である、先行する本発明のいずれかの方法。
[本発明1115]
隣接する試料接触領域の端部の間の間隔が、100〜500μｍの範囲内である、先行する本発明のいずれかの方法。
[本発明1116]
各試料接触領域における前記層の前記均一な厚さの平均値が、10％未満の変動で、その中の前記スペーサの前記均一な高さと実質的に同じである、先行する本発明のいずれかの方法。
[本発明1117]
ステップ（ｄ）の後およびステップ（ｅ）の前に、前記適合可能な押圧力を除去することをさらに含み、前記適合可能な押圧力の除去後の前記均一な厚さの層の前記厚さが、（ｉ）前記適合可能な押圧力を除去する前の前記均一な厚さの層のものと実質的に同じであり、（ｉｉ）前記スペーサの高さから10％未満逸脱する、先行する本発明のいずれかの方法。
[本発明1118]
前記適合可能に押圧することが、ヒトの手によって行われる、先行する本発明のいずれかの方法。
[本発明1119]
前記適合可能に押圧することが、加圧液体、加圧ガス、または適合可能な材料によって提供される、先行する本発明のいずれかの方法。
[本発明1120]
ステップ（ｃ）の前記試料付着が、いかなる移送デバイスも使用しない、対象から前記プレートへの直接的な付着である、先行する本発明のいずれかの方法。
[本発明1121]
ステップ（ｃ）の前記付着中、前記プレートに付着した前記試料の量が未知である、先行する本発明のいずれかの方法。
[本発明1122]
ステップ（ｅ）の前記分析することが、前記均一な厚さの層でアッセイを実行することを含む、先行する本発明のいずれかの方法。
[本発明1123]
前記アッセイが、結合アッセイまたは生化学アッセイである、本発明1122の方法。
[本発明1124]
前記第1のプレートが、前記試料接触領域のうちの少なくとも1つに、
所定の横方向の面積を有し、かつ前記標的分析物を結合および固定化することができる捕捉剤を含む結合部位
を有する、先行する本発明のいずれかの方法。
[本発明1125]
前記閉鎖構成において、前記試料接触領域のいずれか1つの前記層の前記均一な厚さが、その中の前記結合部位の前記所定の横方向の面積よりも実質的に小さい、本発明1124の方法。
[本発明1126]
前記第2のプレートが、前記試料接触領域のうちの少なくとも1つに、
所定の横方向の面積を有し、かつ前記試料に接触すると前記試料中に溶解して前記試料中に拡散する濃度の検出剤を含む貯蔵部位
を有する、先行する本発明のいずれかの方法。
[本発明1127]
隣接する試料接触領域の前記端部の間の最小間隔は、標的分析物または検出剤が適切な時間で拡散することができる距離よりも実質的に大きく、前記隣接する試料接触領域間に流体の隔たりが存在せず、前記適切な時間の長さは、
ｉｉｉ．前記標的分析物が前記閉鎖構成における前記均一な厚さの層の前記厚さを横切って拡散するのにかかる時間とほぼ等しいかまたはそれより長く、かつ
ｉｖ．前記標的分析物が前記結合部位の前記所定の面積の直線寸法を横切って横方向に拡散するのにかかる時間よりも短い、先行する本発明のいずれかの方法。
[本発明1128]
ステップ（ｅ）の前記分析することが、
（1）適切な時間の長さで前記試料をインキュベートし、次いで、前記インキュベーションを停止すること、または
（2）前記試料を適切な時間の長さの最小値以上の時間インキュベートし、次いで、前記適切な時間の長さの最大値以下の期間内に、結合部位への各標的分析物の前記結合を評価し、
それによって（1）の前記インキュベーションの終了時もしくは（2）の前記評価中に、各結合部位と結合した捕捉剤−標的分析物−検出剤サンドイッチ中の前記標的分析物の大部分が、対応する適切な体積の前記試料に由来するものである反応物を生成することであって、
前記インキュベーションにより、各標的分析物が結合部位および検出剤と結合することができ、前記対応する適切な体積が、前記閉鎖構成で対応する貯蔵部位の上にある前記試料の部分である、前記生成すること、を含む、先行する本発明のいずれかの方法。
[本発明1129]
前記反応物が、60秒未満で飽和される、先行する本発明のいずれかの方法。
[本発明1130]
前記適切な時間の長さが60秒〜30分の範囲内である、先行する本発明のいずれかの方法。
[本発明1131]
ステップ（ｅ）の前記分析することが、
ｉ．フォトルミネセンス、エレクトロルミネセンス、および電気化学ルミネセンスから選択されるルミネセンス、
ｉｉ．光吸収、反射、透過、回折、散乱、または拡散、
ｉｉｉ．表面ラマン散乱、
ｉｖ．抵抗、静電容量、およびインダクタンスから選択される電気インピーダンス、
ｖ．磁気緩和能、ならびに
ｖｉ．ｉ〜ｖの任意の組み合わせ
からなる群から選択される標的分析物関連信号を測定することを含み、
前記標的分析物関連信号が、前記試料中の前記標的分析物の量に比例しかつそれを反映する信号である、先行する本発明のいずれかの方法。
[本発明1132]
前記分析ステップ（ｅ）が、
適切な試料接触領域から測定された前記標的分析物関連信号から最適な信号を決定することを含み、前記適切な試料接触領域が、同じ標的分析物を検出するための前記結合部位および／または貯蔵部位を含む前記試料接触領域である、本発明1131の方法。
[本発明1133]
前記最適な標的分析物関連信号が、最小および最大検出閾値の間の範囲内の前記測定された標的分析物関連信号を選択することによって決定され、前記プレートの前記最小および最大検出閾値、ならびに検出器が前記信号測定に使用される、本発明1131の方法。
[本発明1134]
前記最適な標的分析物関連信号が、前記アッセイの線形検出範囲内の前記測定された標的分析物関連信号を選択することによって決定され、前記線形検出範囲が、標的分析物関連信号の強度の範囲であり、その中で前記信号強度が、前記アッセイされた標的分析物の量と直線的な相関を有する、本発明1131の方法。
[本発明1135]
前記分析ステップ（ｅ）が、前記適切な試料体積の前記横方向の面積を測定することによって適切な試料体積の体積を計算することと、前記横方向の面積および前記所定のスペーサの高さから体積を計算することと、を含み、前記適切な体積が、前記試料の一部または全体の体積である、先行する本発明のいずれかの方法。
[本発明1136]
前記分析ステップ（ｅ）が、前記標的分析物の読み取り、画像分析、もしくは計数、またはそれらの組み合わせを含む、先行する本発明のいずれかの方法。
[本発明1137]
1回以上の洗浄をさらに含む、先行する本発明のいずれかの方法。
[本発明1138]
前記付着した試料が、0．5μＬ未満の総体積を有する、先行する本発明のいずれかの方法。
[本発明1139]
前記液体試料が、羊水、房水、硝子体液、血液（例えば、全血、分画血液、血漿、または血清）、母乳、脳脊髄液（ＣＳＦ）、耳垢（ｃｅｒｕｍｅｎ）（耳垢（ｅａｒｗａｘ））、乳糜、糜汁、内リンパ液、外リンパ液、糞便、呼気、胃酸、胃液、リンパ液、粘液（鼻漏および痰を含む）、心膜液、腹膜液、胸膜液、膿、粘膜分泌物、唾液、呼気凝縮物、皮脂、精液、痰、汗、滑液、涙、嘔吐物、尿、およびそれらの任意の組み合わせからなる群から選択される生体試料から作製される、先行する本発明のいずれかの方法。
[本発明1140]
前記試料が、河川、湖、池、海、氷河、氷山、雨、雪、下水、貯水池、水道水、または飲料水からなる群から選択される供給源からの環境液体試料、土壌、堆肥、砂、岩、コンクリート、木材、レンガ、下水からの固体試料、およびそれらの任意の組み合わせである、先行する本発明のいずれかの方法。
[本発明1141]
前記試料が、空気、水中熱排気口、産業排気、車両排気、およびそれらの任意の組み合わせからなる群から選択される供給源からの環境ガス試料である、先行する本発明のいずれかの方法。
[本発明1142]
前記試料が、生の材料、調理済みの食品、植物および動物源の食糧、前処理済みの食品、および部分的または完全に処理済みの食品、ならびにそれらの任意の組み合わせからなる群から選択される食品試料である、先行する本発明のいずれかの方法。
[本発明1143]
前記試料が、ヒトの血液であり、前記付着させるステップが、（ａ）ヒトの皮膚を刺すことにより、血液の小滴を前記皮膚に放出することと、（ｂ）血液移送ツールを使用せずに前記血液の小滴をフィルターと接触させることと、を含む、先行する本発明のいずれかの方法。
[本発明1144]
ステップ（ｅ）が、
ｉ．フォトルミネセンス、エレクトロルミネセンス、および電気化学ルミネセンスから選択されるルミネセンス、
ｉｉ．光吸収、反射、透過、回折、散乱、または拡散、
ｉｉｉ．表面ラマン散乱、
ｉｖ．抵抗、静電容量、およびインダクタンスから選択される電気インピーダンス、
ｖ．磁気緩和能、ならびに
ｖｉ．ｉ〜ｖの任意の組み合わせ
からなる群から選択される標的分析物関連信号を測定することを含み、
前記標的分析物関連信号が、前記結合部位に対する前記標的分析物の結合に比例しかつそれを反映する信号である、本発明1090の方法。
[本発明1145]
前記分析ステップ（ｅ）が、
適切な試料接触領域から測定された前記標的分析物関連信号から最適な信号を決定することを含み、前記適切な試料接触領域が、同じ標的分析物を検出するための前記結合部位および／または貯蔵部位を含む前記試料接触領域である、本発明1144の方法。
[本発明1146]
前記最適な標的分析物関連信号が、最小および最大検出閾値の間の範囲内の前記測定された標的分析物関連信号を選択することによって決定され、前記プレートの前記最小および最大検出閾値、ならびに検出器が前記信号測定に使用される、本発明1145の方法。
[本発明1147]
前記最適な標的分析物関連信号が、前記アッセイの線形検出範囲内の前記測定された標的分析物関連信号を選択することによって決定され、前記線形検出範囲が、標的分析物関連信号の強度の範囲であり、その中で前記信号強度が、前記アッセイされた標的分析物の量と直線的な相関を有する、本発明1145の方法。
[本発明1148]
前記結合部位が、乾燥した試薬のパッチによって定義される、先行する本発明のいずれかのデバイスまたは方法。
[本発明1149]
前記結合部位が、一対の電極の間にある、先行する本発明のいずれかのデバイスまたは方法。
[本発明1150]
前記標的分析物が増幅部位から500ｎｍ以内にある場合に、一方または両方のプレート内表面が、前記標的分析物関連信号をそれぞれ増幅することができる1つまたは複数の増幅部位を含む、先行する本発明のいずれかのデバイスまたは方法。
[本発明1151]
前記プレートが、200μｍ未満の厚さを有する、先行する本発明のいずれかのデバイスまたは方法。
[本発明1152]
前記プレートが、100μｍ未満の厚さを有する、先行する本発明のいずれかのデバイスまたは方法。
[本発明1153]
前記プレートの各々が、5ｃｍ2未満の面積を有する、先行する本発明のいずれかのデバイスまたは方法。
[本発明1154]
前記プレートの各々が、2ｃｍ2未満の面積を有する、先行する本発明のいずれかのデバイスまたは方法。
[本発明1155]
前記プレートのうちの少なくとも1つが、部分的または完全に透明である、先行する本発明のいずれかのデバイスまたは方法。
[本発明1156]
前記プレートのうちの少なくとも1つが可撓性ポリマーで作られている、先行する本発明のいずれかのデバイスまたは方法。
[本発明1157]
前記プレートのうちの少なくとも1つが、可撓性プレートであり、前記可撓性プレートの厚さ×前記可撓性プレートのヤング率が、60〜75ＧＰａ−μｍの範囲内である、先行する本発明のいずれかのデバイスまたは方法。
[本発明1158]
前記スペーサが、丸形、多角形、円形、正方形、長方形、楕円形、長円形、またはそれらの任意の組み合わせから選択される断面形状を有するスペーサである、先行する本発明のいずれかのデバイスまたは方法。
[本発明1159]
前記スペーサが柱形状を有し、実質的に平坦な上面を有し、各スペーサに関して、前記スペーサの横方向寸法とその高さとの比率が少なくとも1である、先行する本発明のいずれかのデバイスまたは方法。
[本発明1160]
各スペーサが、
少なくとも1である、前記スペーサの前記横方向寸法とその高さとの比率
を有する、先行する本発明のいずれかのデバイスまたは方法。
[本発明1161]
スペーサの最小横方向寸法が、前記試料中の標的分析物の最小寸法よりも小さいか、または実質的に等しい、先行する本発明のいずれかのデバイスまたは方法。
[本発明1162]
前記スペーサが柱形状を有し、前記スペーサの側壁角が少なくとも1μｍの曲率半径を有する丸い形状を有する、先行する本発明のいずれかのデバイスまたは方法。
[本発明1163]
前記スペーサが、少なくとも100／ｍｍ2の密度を有する、先行する本発明のいずれかのデバイスまたは方法。
[本発明1164]
前記スペーサが、少なくとも1000／ｍｍ2の密度を有する、先行する本発明のいずれかのデバイスまたは方法。
[本発明1165]
前記スペーサが、少なくとも1％の充填率を有し、前記充填率が、前記均一な厚さの層と接触している前記スペーサ面積と、前記均一な厚さの層と接触している全プレート面積との比率である、先行する本発明のいずれかのデバイスまたは方法。
[本発明1166]
前記スペーサのヤング率×前記スペーサの充填率が、10ＭＰａ以上であり、前記充填率が、前記均一な厚さの層と接触している前記スペーサ面積と、前記均一な厚さの層と接触している全プレート面積との比率である、先行する本発明のいずれかのデバイスまたは方法。
[本発明1167]
ａ．前記プレートのうちの少なくとも1つが可撓性であり、
ｂ．前記可撓性プレートに関して、前記スペーサ間距離（ＩＳＤ）の4乗を前記可撓性プレートの厚さ（ｈ）および前記可撓性プレートのヤング率（Ｅ）で割ったＩＳＤ4／（ｈＥ）が、106ｕｍ3／ＧＰａ以下である、先行する本発明のいずれかのデバイスまたは方法。
[本発明1168]
前記スペーサが、前記プレートを直接エンボス加工するか、または射出成形することによってプレートに固定される、先行する本発明のいずれかのデバイスまたは方法。
[本発明1169]
前記プレートおよび前記スペーサの材料が、ポリスチレン、ＰＭＭＧ、ＰＣ、ＣＯＣ、ＣＯＰ、または別のプラスチックから独立して選択される、先行する本発明のいずれかのデバイスまたは方法。
[本発明1170]
液体試料中の構成成分を溶解するためのデバイスであって、
第1のプレートと、第2のプレートと、を備え、
ｉ．前記2つのプレートが、開放構成および閉鎖構成を含む異なる構成へと互いに相対的に移動可能であり、
ｉｉ．前記プレートの各々が、そのそれぞれの試料表面に対して、試料と接触するための試料接触領域を有し、前記試料が、少なくとも標的溶解成分を含み、
ｉｉｉ．前記プレートのうちの一方または両方が、前記それぞれの試料接触領域に固定された柱を備え、
ｉｖ．前記柱が、前記標的溶解成分の200％未満である、柱上面の横方向寸法の少なくとも1つを有し、
前記開放構成において、前記2つのプレートが部分的または完全に分離され、前記プレート間の間隔が、前記柱によって調節されず、前記試料が、前記プレートのうちの一方または両方の上に付着し、
前記閉鎖構成は、前記開放構成において前記試料が付着した後に構成され、前記閉鎖構成において、前記試料の適切な体積が、前記2つのプレートによって非常に均一な厚さの層に圧縮され、前記層の前記均一な厚さが、前記プレートの前記試料接触領域によって限定されかつ前記プレートおよび前記柱によって調節され、
前記プレートが前記開放構成から前記閉鎖構成に移行するプロセス中に、前記適切な体積の前記試料の前記標的溶解成分のかなりの割合が前記柱によって溶解され、
前記試料の前記適切な体積は、前記試料の部分的または全体的な体積である、前記デバイス。
[本発明1171]
液体試料中の構成成分を機械的に溶解する方法であって、
（ａ）第1のプレートおよび第2のプレートを有するステップであって、
ｉ．前記2つのプレートが、開放構成および閉鎖構成を含む異なる構成へと互いに相対的に移動可能であり、
ｉｉ．前記プレートの各々が、そのそれぞれの試料表面に対して、試料と接触するための試料接触領域を有し、前記試料が、少なくとも標的溶解成分を含み、
ｉｉｉ．前記プレートのうちの一方または両方が、前記それぞれの試料接触領域に固定された柱を備え、
ｉｖ．前記柱が、前記標的溶解成分の200％未満である、柱上面の横方向寸法の少なくとも1つを有する、前記有するステップと、
（ｂ）前記プレートが前記開放構成にあるとき、前記プレートの一方または両方に前記試料を付着させるステップであって、前記開放構成において、前記2つのプレートが部分的または完全に分離され、前記プレート間の間隔が、前記柱によって調節されていない、前記付着させるステップと、
（ｃ）前記2つのプレートを合わせ、前記閉鎖構成にするために前記2つのプレートを力で互いに対して圧縮するステップであって、その間に、前記試料の適切な体積の前記試料の前記標的溶解成分のかなりの割合が、前記柱によって溶解され、
前記閉鎖構成において、前記試料の前記適切な体積は、前記2つのプレートによって非常に均一な厚さの層に圧縮され、前記層の前記均一な厚さが、前記プレートの前記試料接触領域によって限定されかつ前記プレートおよび前記柱によって調節され、
前記試料の前記適切な体積は、前記試料の部分的または全体的な体積である、前記圧縮するステップと、を含む、前記方法。
[本発明1172]
液体試料中のある標的率の構成成分を選択的に溶解するためのデバイスであって、
第1のプレートと、第2のプレートと、を備え、
ｉ．前記2つのプレートが、開放構成および閉鎖構成を含む異なる構成へと互いに相対的に移動可能であり、
ｉｉ．前記プレートの各々が、そのそれぞれの試料表面に対して、試料と接触するための試料接触領域を有し、前記試料が、少なくとも標的溶解成分を含み、
ｉｉｉ．前記プレートのうちの一方または両方が、前記それぞれの試料接触領域に固定された柱を備え、
前記開放構成において、前記2つのプレートが部分的または完全に分離され、前記プレート間の間隔が、前記柱によって調節されず、前記試料が、前記プレートのうちの一方または両方の上に付着し、
前記閉鎖構成は、前記開放構成において前記試料が付着した後に構成され、前記閉鎖構成において、前記試料の適切な体積が、前記2つのプレートによって非常に均一な厚さの層に圧縮され、前記層の前記均一な厚さが、前記プレートの前記試料接触領域によって限定されかつ前記プレートおよび前記柱によって調節され、
前記柱の少なくとも1つのパラメータは、前記プレートが前記開放構成から前記閉鎖構成に移行するプロセス中に、前記適切な体積の前記試料のある標的率の前記標的溶解成分が前記柱によって溶解されるように選択され、
前記試料の前記適切な体積は、前記試料の部分的または全体的な体積である、前記デバイス。
[本発明1173]
液体試料中のある標的率の成分を選択的に溶解する方法であって、
（ａ）第1のプレートおよび第2のプレートを有するステップであって、
ｉ．前記2つのプレートが、開放構成および閉鎖構成を含む異なる構成へと互いに相対的に移動可能であり、
ｉｉ．前記プレートの各々が、そのそれぞれの試料表面に対して、試料と接触するための試料接触領域を有し、前記試料が、少なくとも標的溶解成分を含み、
ｉｉｉ．前記プレートのうちの一方または両方が、前記それぞれの試料接触領域に固定された柱を備える、前記有するステップと、
（ｂ）前記プレートが前記開放構成にあるとき、前記プレートの一方または両方に前記試料を付着させるステップであって、前記開放構成において、前記2つのプレートが部分的または完全に分離され、前記プレート間の間隔が、前記柱によって調節されていない、前記付着させるステップと、
（ｃ）前記2つのプレートを合わせ、前記閉鎖構成にするために前記2つのプレートを力で互いに対して圧縮するステップであって、
前記閉鎖構成において、前記試料の適切な体積は、前記2つのプレートによって非常に均一な厚さの層に圧縮され、前記層の前記均一な厚さが、前記プレートの前記試料接触領域によって限定されかつ前記プレートおよび前記柱によって調節され、
前記柱の少なくとも1つのパラメータは、前記プレートが前記開放構成から前記閉鎖構成に移行するプロセス中に、前記適切な体積の前記試料のある標的率の前記標的溶解成分が前記柱によって溶解されるように選択され、
前記試料の前記適切な体積は、前記試料の部分的または全体的な体積である、前記圧縮するステップと、を含む、前記方法。
[本発明1174]
液体試料中の構成成分を選択的に溶解するためのデバイスであって、
第1のプレートおよび第2のプレートを備え、
ｉ．前記2つのプレートが、開放構成および閉鎖構成を含む異なる構成へと互いに相対的に移動可能であり、
ｉｉ．前記プレートの各々が、そのそれぞれの試料表面に対して、試料と接触するための試料接触領域を有し、前記試料が、少なくとも標的溶解成分および少なくとも非標的溶解成分を含み、
ｉｉｉ．前記プレートのうちの一方または両方が、前記それぞれの試料接触領域に固定された柱を備え、
前記開放構成において、前記2つのプレートが部分的または完全に分離され、前記プレート間の間隔が、前記柱によって調節されず、前記試料が、前記プレートのうちの一方または両方の上に付着し、
前記閉鎖構成は、前記開放構成において前記試料が付着した後に構成され、前記閉鎖構成において、前記試料の適切な体積が、前記2つのプレートによって非常に均一な厚さの層に圧縮され、前記層の前記均一な厚さが、前記プレートの前記試料接触領域によって限定されかつ前記プレートおよび前記柱によって調節され、
前記柱の少なくとも1つのパラメータは、前記プレートが前記開放構成から前記閉鎖構成に移行するプロセス中に、前記適切な体積の前記試料の前記標的溶解成分のかなりの割合が前記柱によって溶解されかつ前記適切な体積の前記非標的溶解成分のかなりの割合が溶解されないように選択され、
前記試料の前記適切な体積は、前記試料の部分的または全体的な体積である、前記デバイス。
[本発明1175]
液体試料中の構成成分を選択的に溶解する方法であって、
（ａ）第1のプレートおよび第2のプレートを有するステップであって、
ｉ．前記2つのプレートが、開放構成および閉鎖構成を含む異なる構成へと互いに相対的に移動可能であり、
ｉｉ．前記プレートの各々が、そのそれぞれの試料表面に対して、試料と接触するための試料接触領域を有し、前記試料が、少なくとも標的溶解成分および少なくとも非標的溶解成分を含み、
ｉｉｉ．前記プレートのうちの一方または両方が、前記それぞれの試料接触領域に固定された柱を備える、前記有するステップと、
（ｂ）前記プレートが前記開放構成にあるとき、前記プレートの一方または両方に前記試料を付着させるステップであって、前記開放構成において、前記2つのプレートが部分的または完全に分離され、前記プレート間の間隔が、前記柱によって調節されていない、前記付着させるステップと、
（ｃ）前記2つのプレートを合わせ、前記閉鎖構成にするために前記2つのプレートを力で互いに対して圧縮するステップであって、
前記閉鎖構成において、前記試料の適切な体積が、前記2つのプレートによって非常に均一な厚さの層に圧縮され、前記層の前記均一な厚さが、前記プレートの前記試料接触領域によって限定されかつ前記プレートおよび前記柱によって調節され、
前記柱の少なくとも1つのパラメータは、前記プレートが前記開放構成から前記閉鎖構成に移行するプロセス中に、前記適切な体積の前記試料の前記標的溶解成分のかなりの割合が前記柱によって溶解されかつ前記適切な体積の前記非標的溶解成分のかなりの割合が溶解されないように選択され、
前記試料の前記適切な体積は、前記試料の部分的または全体的な体積である、前記圧縮するステップと、を含む、前記方法。
[本発明1176]
液体試料中の構成成分を選択的に溶解するためのデバイスであって、
第1のプレートおよび第2のプレートを備え、
ｉ．前記2つのプレートが、開放構成および閉鎖構成を含む異なる構成へと互いに相対的に移動可能であり、
ｉｉ．前記第1のプレートが、そのそれぞれの試料表面に対して、ある位置での第1の試料接触領域および別の位置での第2の試料接触領域を有し、前記試料接触領域が、試料と接触するためのものであり、前記試料が、少なくとも標的溶解成分を含み、
ｉｉｉ．前記プレートのうちの一方または両方が、前記それぞれの試料接触領域に固定された柱を備え、
前記開放構成において、前記2つのプレートが部分的または完全に分離され、前記プレート間の間隔が、前記柱によって調節されず、前記試料が、前記プレートのうちの一方または両方の上に付着し、
前記閉鎖構成は、前記開放構成において前記試料が付着した後に構成され、前記閉鎖構成において、前記試料の適切な体積が、前記2つのプレートによって非常に均一な厚さの層に圧縮され、前記層の前記均一な厚さが、前記プレートの前記試料接触領域によって限定されかつ前記プレートおよび前記柱によって調節され、
前記柱の少なくとも1つのパラメータは、（ａ）前記柱が、前記第1の試料接触領域において、実質的に同じ前記少なくとも1つのパラメータと、前記第2の試料接触領域において、異なる実質的に同じ前記少なくとも1つのパラメータとを有し、（ｂ）前記プレートが前記開放構成から前記閉鎖構成に移行するプロセス中に、前記第1の試料接触領域で前記試料の前記標的溶解成分のかなりの割合が前記柱によって溶解されるが、前記標的溶解成分が前記第2の試料接触領域で溶解されないように選択され、
前記試料の前記適切な体積は、前記試料の部分的または全体的な体積である、前記デバイス。
[本発明1177]
液体試料中の構成成分を選択的に溶解する方法であって、
（ａ）第1のプレートおよび第2のプレートを有するステップであって、
ｉ．前記2つのプレートが、開放構成および閉鎖構成を含む異なる構成へと互いに相対的に移動可能であり、
ｉｉ．前記第1のプレートが、そのそれぞれの試料表面に対して、ある位置での第1の試料接触領域および別の位置での第2の試料接触領域を有し、前記試料接触領域が、試料と接触するためのものであり、前記試料が、少なくとも標的溶解成分を含み、
ｉｉｉ．前記プレートのうちの一方または両方が、前記それぞれの試料接触領域に固定された柱を備える、有するステップと、
（ｂ）前記プレートが前記開放構成にあるとき、前記プレートの一方または両方に前記試料を付着させるステップであって、前記開放構成において、前記2つのプレートが部分的または完全に分離され、前記プレート間の間隔が、前記柱によって調節されていない、前記付着させるステップと、
（ｃ）前記2つのプレートを合わせ、前記閉鎖構成にするために前記2つのプレートを力で互いに対して圧縮するステップであって、
前記閉鎖構成において、前記試料の適切な体積が、前記2つのプレートによって非常に均一な厚さの層に圧縮され、前記層の前記均一な厚さが、前記プレートの前記試料接触領域によって限定されかつ前記プレートおよび前記柱によって調節され、
前記柱の少なくとも1つのパラメータは、（ａ）前記柱が、前記第1の試料接触領域において、実質的に同じ前記少なくとも1つのパラメータと、前記第2の試料接触領域において、異なる実質的に同じ前記少なくとも1つのパラメータとを有し、（ｂ）前記プレートが前記開放構成から前記閉鎖構成に移行するプロセス中に、前記第1の試料接触領域で前記試料の前記標的溶解成分のかなりの割合が前記柱によって溶解されるが、前記標的溶解成分が前記第2の試料接触領域で溶解されないように選択され、
前記試料の前記適切な体積は、前記試料の部分的または全体的な体積である、前記圧縮するステップと、を含む、前記方法。
[本発明1178]
前記プレートのうちの少なくとも1つが可撓性である、先行する本発明のいずれかのデバイスまたは方法。
[本発明1179]
前記柱のうちの少なくとも1つの基部が、ほぼ丸い形状を有する、先行する本発明のいずれかのデバイスまたは方法。
[本発明1180]
前記柱のうちの少なくとも1つの前記基部が、多角形、ピラミッド形、長円形、および細長い棒形状、ならびに丸い形状とのそれらの組み合わせ、およびそれらの任意の組み合わせからなる群から選択されるおおよその形状を有する、先行する本発明のいずれかのデバイスまたは方法。
[本発明1181]
前記柱のうちの少なくとも1つの前記基部の横方向寸法が、1ｎｍ以下、10ｎｍ以下、50ｎｍ以下、100ｎｍ以下、200ｎｍ以下、500ｎｍ以下、800ｎｍ以下、1000ｎｍ以下、2000ｎｍ以下、3000ｎｍ以下、5000ｎｍ以下、10ミクロン以下、20ミクロン以下、30ミクロン以下、50ミクロン以下、100ミクロン以下、150ミクロン以下、200ミクロン以下、300ミクロン以下、500ミクロン以下、800ミクロン以下、1ｍｍ以下、2ｍｍ以下、4ｍｍ以下、または任意の2つの値の間の範囲内である、先行する本発明のいずれかのデバイスまたは方法。
[本発明1182]
前記柱のうちの少なくとも1つの上部が、ほぼ丸い形状を有する、先行する本発明のいずれかのデバイスまたは方法。
[本発明1183]
前記柱のうちの少なくとも1つの前記上部が、多角形、ピラミッド形、長円形、および細長い棒形状、ならびに丸い形状とのそれらの組み合わせ、およびそれらの任意の組み合わせからなる群から選択されるおおよその形状を有する、先行する本発明のいずれかのデバイスまたは方法。
[本発明1184]
前記柱のうちの少なくとも1つの前記上部の横方向寸法が、1ｎｍ以下、10ｎｍ以下、50ｎｍ以下、100ｎｍ以下、200ｎｍ以下、500ｎｍ以下、800ｎｍ以下、1000ｎｍ以下、2000ｎｍ以下、3000ｎｍ以下、5000ｎｍ以下、10ミクロン以下、20ミクロン以下、30ミクロン以下、50ミクロン以下、100ミクロン以下、150ミクロン以下、200ミクロン以下、300ミクロン以下、500ミクロン以下、800ミクロン以下、1ｍｍ以下、2ｍｍ以下、4ｍｍ以下、または任意の2つの値の間の範囲内である、先行する本発明のいずれかのデバイスまたは方法。
[本発明1185]
前記複数の要素の最も近い2つの柱の間の間隔が、2ｎｍ〜500ミクロン未満の範囲内である、先行する本発明のいずれかのデバイスまたは方法。
[本発明1186]
前記試料が、全血または分画血液を含む、先行する本発明のいずれかのデバイスまたは方法。
[本発明1187]
前記試料が、羊水、房水、硝子体液、母乳、脳脊髄液（ＣＳＦ）、耳垢（ｃｅｒｕｍｅｎ）（耳垢（ｅａｒｗａｘ））、乳糜、糜汁、内リンパ、外リンパ、糞便、胃酸、胃液、リンパ液、粘液、鼻漏、痰）、心膜液、腹水、胸水、膿、粘膜分泌物、皮脂、精液、喀痰、汗、滑液、涙、嘔吐物、および呼気凝縮物からなる群のいずれかまたは組み合わせを含む、先行する本発明のいずれかのデバイスまたは方法。
[本発明1188]
ステップ（ｉ）の前に、少なくとも1つの標的溶解成分を含む試料を非液相から液相に変換することを含む、先行する本発明のいずれかの方法。
[本発明1189]
前記試料中の少なくとも1つの標的溶解成分が、細胞試料が付着する前記2つのプレートのうちの少なくとも1つで急増する、先行する本発明のいずれかのデバイスまたは方法。
[本発明1190]
前記標的率が、5％以下、10％以下、20％以下、30％以下、40％以下、50％以下、60％以下、70％以下、80％以下、90％以下、95％以下、98％以下、99％以下、100％以下、またはこれらの数値のうち任意の2つの間の範囲内の任意の値である、先行する本発明のいずれかのデバイスまたは方法。
[本発明1191]
前記かなりの割合が、少なくとも51％、60％、70％、80％、90％、95％、または99％である、先行する本発明のいずれかのデバイスまたは方法。
[本発明1192]
前記高度に均一な層の面積が、0．1ｍｍ2、0．5ｍｍ2、1ｍｍ2、3ｍｍ2、5ｍｍ2、10ｍｍ2、20ｍｍ2、50ｍｍ2、70ｍｍ2、100ｍｍ2、200ｍｍ2、500ｍｍ2、800ｍｍ2、1000ｍｍ2、2000ｍｍ2、5000ｍｍ2、10000ｍｍ2、20000ｍｍ2、50000ｍｍ2、もしくは100000ｍｍ2以上、または任意の2つの値の間の範囲内である、先行する本発明のいずれかのデバイスまたは方法。
[本発明1193]
一方または両方の前記試料接触領域で、前記それぞれのプレートが試薬の層をさらに含む、先行する本発明のいずれかのデバイスまたは方法。
[本発明1194]
前記第1の試料接触領域または前記第2の試料接触領域の面積が、0．1ｍｍ2、0．5ｍｍ2、1ｍｍ2、3ｍｍ2、5ｍｍ2、10ｍｍ2、20ｍｍ2、50ｍｍ2、70ｍｍ2、100ｍｍ2、200ｍｍ2、500ｍｍ2、800ｍｍ2、1000ｍｍ2、2000ｍｍ2、5000ｍｍ2、10000ｍｍ2、20000ｍｍ2、50000ｍｍ2、もしくは100000ｍｍ2以上、または任意の2つの値の間の範囲内である、先行する本発明のいずれかのデバイスまたは方法。
[本発明1195]
前記圧縮力がヒトの手によって加えられる、先行する本発明のいずれかの方法。
[本発明1196]
前記圧縮力が、気体または流体の圧力を介して加えられる、先行する本発明のいずれかの方法。
[本発明1197]
前記柱が、
ｉ．実質的に均一な断面および平坦な上面を有する柱形状、
ｉｉ．1以上である、幅と高さとの比率、
ｉｉｉ．1％以上の充填率、ならびに
ｉｖ．2ＭＰａ以上である、前記スペーサの充填率とヤング率の積
を有し、
前記充填率が、前記スペーサの接触面積と、全プレート面積との比率である、先行する本発明のいずれかのデバイスまたは方法。
[本発明1198]
前記層の前記均一な厚さの平均値が、10％未満の変動で、前記スペーサの前記均一な高さと実質的に同じである、先行する本発明のいずれかのデバイスまたは方法。
[本発明1199]
前記試料が、第2の標的溶解成分をさらに含む、先行する本発明のいずれかのデバイスまたは方法。
[本発明1200]
前記閉鎖構成において、前記標的溶解成分の少なくとも90％が溶解され、前記非標的溶解成分の少なくとも90％が溶解される、先行する本発明のいずれかのデバイスまたは方法。
[本発明1201]
前記閉鎖構成において、前記標的溶解成分の少なくとも99％が溶解され、前記非標的溶解成分の少なくとも99％が溶解される、先行する本発明のいずれかのデバイスまたは方法。
[本発明1202]
前記閉鎖構成において、全ての標的溶解成分の少なくとも90％が溶解され、前記非標的溶解成分の少なくとも90％が溶解される、先行する本発明のいずれかのデバイスまたは方法。
[本発明1203]
前記均一な厚さの層の前記変動が、30ｎｍ未満である、先行する本発明のいずれかのデバイスまたは方法。
[本発明1204]
均一な厚さの試料の前記層が、最大＋／−5％の、厚さの均一性を有する、先行する本発明のいずれかのデバイスまたは方法。
[本発明1205]
前記柱が、丸形、多角形、円形、正方形、長方形、楕円形、長円形、またはそれらの任意の組み合わせから選択される断面形状を有する、先行する本発明のいずれかのデバイスまたは方法。
[本発明1206]
前記非標的成分を分析することが、前記非溶解標的分析物の数を計数し、前記非標的成分の濃度を計算することを含む、先行する本発明のいずれかのデバイスまたは方法。
[本発明1207]
前記柱が、
ｉ．実質的に均一な断面および平坦な上面を有する柱形状、
ｉｉ．1以上である、幅と高さとの比率、
ｉｉｉ．10μｍ〜200μｍの範囲内である、所定の一定のスペーサ間距離、
ｉｖ．1％以上の充填率、ならびに
ｖ．2ＭＰａ以上である、前記スペーサの充填率とヤング率の積
を有し、
前記充填率が、前記スペーサの接触面積と、全プレート面積との比率である、先行する本発明のいずれかのデバイスまたは方法。
[本発明1208]
前記プレートを前記閉鎖構成へと押圧することが、並行または順次のいずれかで行われ、前記並行に押圧することが、目的の領域に同時に外力を加え、前記順次に押圧することが、目的の領域の一部に外力を加え、徐々に他の領域に移動する、先行する本発明のいずれかのデバイスまたは方法。
[本発明1209]
前記血液試料が、分析される前に染色されている、先行する本発明のいずれかのデバイスまたは方法。
[本発明1210]
前記血液試料が、アクリジンオレンジ（ＡＯ）で染色されている、先行する本発明のいずれかのデバイスまたは方法。
[本発明1211]
染色試薬が、少なくとも1つの試料接触領域上にコーティングされ、前記血液試料が、前記染色試薬で染色されている、先行する本発明のいずれかのデバイスまたは方法。
[本発明1212]
前記血液試料が、
ｉ．前記均一な厚さの層における前記血液試料の少なくとも一部を照射することと、
ｉｉ．ＣＣＤまたはＣＭＯＳセンサを使用して細胞の1つ以上の画像を得ることと、
ｉｉｉ．コンピュータを使用して前記画像内の血小板を識別することと、
ｉｖ．前記画像の領域内の血小板の数を計数することと
によって分析される、先行する本発明のいずれかのデバイスまたは方法。
[本発明1213]
均一な厚さの試料の前記層が、最大＋／−5％の、厚さの均一性を有する、先行する本発明のいずれかのデバイスまたは方法。
[本発明1214]
前記プレートのうちの一方または両方が、前記それぞれの試料接触領域に、前記試料中の標的分析物を選択的に結合することができる検出剤を含む、先行する本発明のいずれかのデバイスまたは方法。
[本発明1215]
前記プレートのうちの一方または両方が、前記それぞれの試料接触領域に、前記試料中の標的分析物を選択的に結合および固定化することができる捕捉剤を含む、先行する本発明のいずれかのデバイスまたは方法。
[本発明1216]
前記2つのプレートが前記閉鎖構成にあるとき、前記試料のアッセイ物をインキュベートすることをさらに含む、先行する本発明のいずれかの方法。